(57)【特許請求の範囲】
【請求項１】
時分割二重、ＴＤＤ、通信システムにおける端末装置であって、
前記端末装置がアップリンクサブフレームの中のＫ個の連続する直交周波数分割多重、ＯＦＤＭ、シンボルの中のアップリンクデータ及び／又はアップリンク制御情報の送信を取り消すことを決定するよう構成される処理モジュールであって、前記Ｋ個のＯＦＤＭシンボルは搬送波セットの中の１又は複数の通常搬送波上に配置され、前記搬送波セットは、前記アップリンクサブフレームを送信するために前記端末装置により使用されるキャリアアグリゲーションの中の全ての搬送波を含み、Ｋは正整数であり且つ前記アップリンクサブフレームに含まれるＯＦＤＭシンボルの数より大きくない、処理モジュールと、
前記搬送波セットの中の１又は複数の特別搬送波上の前記Ｋ個のシンボルの中でアップリンク信号を送信するよう構成される送信モジュールであって、前記特別搬送波は、前記端末装置がアップリンクで前記アップリンクデータ又は前記アップリンク制御情報のいずれも送信しない搬送波であり、前記通常搬送波は、アップリンクデータ及びアップリンク制御情報のうちの少なくとも１種類を送信するために前記端末装置により使用される搬送波である、送信モジュールと、
を含み、
前記送信モジュールは、別の搬送波セットの中の１又は複数の特別搬送波上の別のアップリンクサブフレームでアップリンク信号を送信するよう更に構成され、前記別の搬送波セットは、前記別のアップリンクサブフレームを送信するために前記端末装置により使用されるキャリアアグリゲーションの中の全ての搬送波を含み、
前記処理モジュールは、前記端末装置が前記別のアップリンクサブフレームの隣接アップリンクサブフレームのＭ個の連続するＯＦＤＭシンボルの中の前記アップリンクデータ及び／又は前記アップリンク制御情報の送信を取り消すことを決定するよう更に構成され、
前記Ｍ個のＯＦＤＭシンボルは、前記別の搬送波セットの中の１又は複数の通常搬送波上に配置され、Ｍは正整数であり且つ前記隣接アップリンクサブフレームに含まれるＯＦＤＭシンボルの数より大きくなく、
前記アップリンクデータは物理アップリンク共有チャネル、ＰＵＳＣＨ、であり、前記アップリンク制御情報は物理アップリンク制御チャネル、ＰＵＣＣＨ、であり、前記アップリンク信号はサウンディング参照信号、ＳＲＳ、である、端末装置。
【請求項２】
前記Ｋ個のシンボルの長さは、少なくとも第１期間及び第２期間の和であり、
前記第１期間は、前記アップリンク信号を送信するために必要な期間であり、
前記第２期間は、前記端末装置が搬送波の間で切り換えられる期間である、
請求項１に記載の端末装置。
【請求項３】
前記搬送波セットの中の前記１又は複数の通常搬送波は、第１タイミングアドバンスグループ、ＴＡＧ１、に属し、前記搬送波セットの中の前記１又は複数の特別搬送波は、第２タイミングアドバンスグループ、ＴＡＧ２、に属し、
前記Ｋ個のシンボルの前記長さは、少なくとも前記第１期間と前記第２期間と第３期間との和であり、前記第３期間は、前記ＴＡＧ１と前記ＴＡＧ２との間のＴＡ差に従い予め合意された長さである、
請求項２に記載の端末装置。
【請求項４】
前記Ｋ個のシンボルは、前記アップリンクサブフレームの中の最後のＫ個のＯＦＤＭシンボルである、請求項１乃至３のいずれか一項に記載の端末装置。
【請求項５】
前記Ｍ個のＯＦＤＭシンボルの長さは、少なくとも第４期間であり、
前記第４期間は、前記端末装置が搬送波の間で切り換えられる期間である、
請求項１に記載の端末装置。
【請求項６】
時分割二重、ＴＤＤ、通信システムにおけるネットワーク装置であって、
端末装置がアップリンクサブフレームの中のＫ個の連続する直交周波数分割多重、ＯＦＤＭ、シンボルの中のアップリンクデータ及び／又はアップリンク制御情報の送信を取り消すことを決定し、前記端末装置が搬送波セットの中の１又は複数の特別搬送波上の前記Ｋ個のシンボルの中でアップリンク信号を送信することを決定するよう構成される処理モジュールであって、
前記Ｋ個のＯＦＤＭシンボルは前記搬送波セットの中の１又は複数の通常搬送波上に配置され、前記搬送波セットは、前記アップリンクサブフレームを送信するために前記端末装置により使用されるキャリアアグリゲーションの中の全ての搬送波を含み、Ｋは正整数であり且つ前記アップリンクサブフレームに含まれるＯＦＤＭシンボルの数より大きくない、処理モジュールと、
前記Ｋ個のＯＦＤＭシンボルの中の前記アップリンクデータ及び／又は前記アップリンク制御情報の受信を取り消し、前記搬送波セットの中の前記１又は複数の特別搬送波上の前記Ｋ個のシンボルの中の前記アップリンク信号を受信するよう構成される受信モジュールであって、
前記特別搬送波は、前記端末装置がアップリンクでアップリンクデータ又はアップリンク制御情報のいずれも送信しない搬送波であり、前記通常搬送波は、前記アップリンクデータ及び前記アップリンク制御情報のうちの少なくとも１種類を送信するために前記端末装置により使用される搬送波である、受信モジュールと、
を含み、
前記受信モジュールは、別の搬送波セットの中の１又は複数の特別搬送波上の別のアップリンクサブフレームで前記アップリンク信号を受信するよう更に構成され、前記別の搬送波セットは、前記別のアップリンクサブフレームを送信するために前記端末装置により使用されるキャリアアグリゲーションの中の全ての搬送波を含み、
前記処理モジュールは、前記別のアップリンクサブフレームの隣接アップリンクサブフレームのＭ個の連続するＯＦＤＭシンボルの中の前記アップリンクデータ及び／又は前記アップリンク制御情報の受信を取り消すことを決定するよう更に構成され、
前記Ｍ個のＯＦＤＭシンボルは、前記別の搬送波セットの中の１又は複数の通常搬送波上に配置され、Ｍは正整数であり且つ前記隣接アップリンクサブフレームに含まれるＯＦＤＭシンボルの数より大きくなく、
前記アップリンクデータは物理アップリンク共有チャネル、ＰＵＳＣＨ、であり、前記アップリンク制御情報は物理アップリンク制御チャネル、ＰＵＣＣＨ、であり、前記アップリンク信号はサウンディング参照信号、ＳＲＳ、である、ネットワーク装置。
【請求項７】
前記Ｋ個のシンボルの長さは、少なくとも第１期間及び第２期間の和であり、
前記第１期間は、前記アップリンク信号を送信するために必要な期間であり、
前記第２期間は、前記端末装置が搬送波の間で切り換えられる期間である、
請求項６に記載のネットワーク装置。
【請求項８】
前記搬送波セットの中の前記１又は複数の通常搬送波は、第１タイミングアドバンスグループ、ＴＡＧ１、に属し、前記搬送波セットの中の前記１又は複数の特別搬送波は、第２タイミングアドバンスグループ、ＴＡＧ２、に属し、
前記Ｋ個のシンボルの前記長さは、少なくとも前記第１期間と前記第２期間と第３期間との和であり、前記第３期間は、前記ＴＡＧ１と前記ＴＡＧ２との間のＴＡ差に従い予め合意された長さである、
請求項７に記載のネットワーク装置。
【請求項９】
前記Ｋ個のシンボルは、前記アップリンクサブフレームの中の最後のＫ個のＯＦＤＭシンボルである、請求項６乃至８のいずれか一項に記載のネットワーク装置。
【請求項１０】
時分割二重、ＴＤＤ、通信システムにおけるアップリンク送信方法であって、
端末装置により、アップリンクサブフレームの中のＫ個の連続する直交周波数分割多重、ＯＦＤＭ、シンボルの中のアップリンクデータ及び／又はアップリンク制御情報の送信を取り消すことを決定するステップであって、
前記Ｋ個のＯＦＤＭシンボルは搬送波セットの中の１又は複数の通常搬送波上に配置され、前記搬送波セットは、前記アップリンクサブフレームを送信するために前記端末装置により使用されるキャリアアグリゲーションの中の全ての搬送波を含み、Ｋは正整数であり且つ前記アップリンクサブフレームに含まれるＯＦＤＭシンボルの数より大きくない、ステップと、
前記端末装置により、前記搬送波セットの中の１又は複数の特別搬送波上の前記Ｋ個のシンボルの中でアップリンク信号を送信するステップであって、
前記特別搬送波は、前記端末装置がアップリンクで前記アップリンクデータ又は前記アップリンク制御情報のいずれも送信しない搬送波であり、前記通常搬送波は、前記アップリンクデータ及び前記アップリンク制御情報のうちの少なくとも１種類を送信するために前記端末装置により使用される搬送波である、ステップと、
前記端末装置により、別の搬送波セットの中の１又は複数の特別搬送波上の別のアップリンクサブフレームで前記アップリンク信号を送信するステップであって、前記別の搬送波セットは、前記別のアップリンクサブフレームを送信するために前記端末装置により使用されるキャリアアグリゲーションの中の全ての搬送波を含む、ステップと、
前記端末装置により、前記別のアップリンクサブフレームの隣接アップリンクサブフレームのＭ個の連続するＯＦＤＭシンボルの中の前記アップリンクデータ及び／又は前記アップリンク制御情報の送信を取り消すことを決定するステップであって、
前記Ｍ個のＯＦＤＭシンボルは、前記別の搬送波セットの中の１又は複数の通常搬送波上に配置され、Ｍは正整数であり且つ前記隣接アップリンクサブフレームに含まれるＯＦＤＭシンボルの数より大きくない、ステップと、
を含むアップリンク送信方法。
【請求項１１】
前記Ｋ個のシンボルの長さは、少なくとも第１期間と第２期間との和であり、
前記第１期間は、前記アップリンク信号を送信するために必要な期間であり、
前記第２期間は、前記端末装置が搬送波の間で切り換えられる期間である、
請求項１０に記載の方法。
【請求項１２】
前記搬送波セットの中の前記１又は複数の通常搬送波は、第１タイミングアドバンスグループ、ＴＡＧ１、に属し、前記搬送波セットの中の前記１又は複数の特別搬送波は、第２タイミングアドバンスグループ、ＴＡＧ２、に属し、
前記Ｋ個のシンボルの前記長さは、少なくとも、前記第１期間と前記第２期間と第３期間との和であり、前記第３期間は、前記ＴＡＧ１と前記ＴＡＧ２との間のＴＡ差に従い予め合意された長さである、
請求項１１に記載の方法。
【請求項１３】
前記Ｋ個のシンボルは、前記アップリンクサブフレームの中の最後のＫ個のＯＦＤＭシンボルである、請求項１０乃至１２のいずれか一項に記載の方法。
【請求項１４】
時分割二重、ＴＤＤ、通信システムにおけるアップリンク受信方法であって、
ネットワーク装置により、端末装置がアップリンクサブフレームの中のＫ個の連続する直交周波数分割多重、ＯＦＤＭ、シンボルの中のアップリンクデータ及び／又はアップリンク制御情報の送信を取り消すことを決定し、前記端末装置が搬送波セットの中の１又は複数の特別搬送波上の前記Ｋ個のシンボルの中でアップリンク信号を送信することを決定するステップであって、
前記Ｋ個のＯＦＤＭシンボルは前記搬送波セットの中の１又は複数の通常搬送波上に配置され、前記搬送波セットは、前記アップリンクサブフレームを送信するために前記端末装置により使用されるキャリアアグリゲーションの中の全ての搬送波を含み、Ｋは正整数であり且つ前記アップリンクサブフレームに含まれるＯＦＤＭシンボルの数より大きくない、ステップと、
前記ネットワーク装置により、前記Ｋ個のシンボルの中の前記アップリンクデータ及び／又は前記アップリンク制御情報の受信を取り消し、前記搬送波セットの中の前記１又は複数の特別搬送波上の前記Ｋ個のシンボルの中の前記アップリンク信号を受信するステップであって、
前記特別搬送波は、前記端末装置がアップリンクでアップリンクデータ又はアップリンク制御情報のいずれも送信しない搬送波であり、前記通常搬送波は、アップリンクデータ及びアップリンク制御情報のうちの少なくとも１種類を送信するために前記端末装置により使用される搬送波である、ステップと、
前記ネットワーク装置により、別の搬送波セットの中の１又は複数の特別搬送波上の別のアップリンクサブフレームで前記アップリンク信号を受信するステップであって、前記別の搬送波セットは、前記別のアップリンクサブフレームを送信するために前記端末装置により使用されるキャリアアグリゲーションの中の全ての搬送波を含み、
前記ネットワーク装置により、前記別のアップリンクサブフレームの隣接アップリンクサブフレームのＭ個の連続するＯＦＤＭシンボルの中の前記アップリンクデータ及び／又は前記アップリンク制御情報の受信を取り消すことを決定するステップであって、
前記Ｍ個のＯＦＤＭシンボルは、前記別の搬送波セットの中の１又は複数の通常搬送波上に配置され、Ｍは正整数であり且つ前記隣接アップリンクサブフレームに含まれるＯＦＤＭシンボルの数より大きくない、ステップと、
を含み、
前記アップリンクデータは物理アップリンク共有チャネル、ＰＵＳＣＨ、であり、前記アップリンク制御情報は物理アップリンク制御チャネル、ＰＵＣＣＨ、であり、前記アップリンク信号はサウンディング参照信号、ＳＲＳ、である、アップリンク受信方法。
【請求項１５】
前記Ｋ個のシンボルの長さは、少なくとも第１期間と第２期間との和であり、
前記第１期間は、前記アップリンク信号を送信するために必要な期間であり、
前記第２期間は、前記端末装置が搬送波の間で切り換えられる期間である、
請求項１４に記載の方法。
【請求項１６】
前記搬送波セットの中の前記１又は複数の通常搬送波は、第１タイミングアドバンスグループ、ＴＡＧ１、に属し、前記搬送波セットの中の前記１又は複数の特別搬送波は、第２タイミングアドバンスグループ、ＴＡＧ２、に属し、
前記Ｋ個のシンボルの前記長さは、少なくとも、前記第１期間と前記第２期間と第３期間との和であり、前記第３期間は、前記ＴＡＧ１と前記ＴＡＧ２との間のＴＡ差に従い予め合意された長さである、
請求項１５に記載の方法。
【請求項１７】
前記Ｋ個のシンボルは、前記アップリンクサブフレームの中の最後のＫ個のＯＦＤＭシンボルである、請求項１４乃至１６のいずれか一項に記載の方法。
【発明の詳細な説明】
【技術分野】
【０００１】
本発明は、無線通信技術に、特に、端末装置、ネットワーク装置、アップリンク送信方法、及びアップリンク受信方法に関する。
【背景技術】
【０００２】
ロングタームエボリューション（Long  Term  Evolution、ＬＴＥ）プロトコルの進化過程において、キャリアアグリゲーション（Carrier  Aggregation、ＣＡ）技術がリリース（Release、Ｒ）１０で導入される。この技術では、ユーザ機器（User  Equipment、ＵＥ）は、複数の搬送波上でデータを同時に送信又は受信することが認められる。進化型ＮｏｄｅＢ（evolved  NodeB、ｅＮＢ）のようなネットワーク装置は、ＵＥのプライマリセル（Primary  Cell、Ｐｃｅｌｌ）としてセルを選択し、別の搬送波上のセルをＵＥのセカンダリセル（Secondary  Cell、Ｓｃｅｌｌ）として使用する。ＵＥは、複数の集約されたセルでデータを送信又は受信できる。ここで、ＣＡをサポートするＬＴＥシステムは、ＬＴＥ  ＣＡシステムとして参照される。
【０００３】
図１を参照すると、ＬＴＥ  ＣＡシステムでは、各ＵＥは、図１中のセル１（Ｃｅｌｌ１）である１つのＰｃｅｌｌ、及び図１中のセル２及びセル３を含む１又は複数のＳｃｅｌｌに対応する。プライマリセル及びセカンダリセルの両方は、ネットワーク装置とＵＥとの間のアップリンク及び／又はダウンリンクデータ送信のために使用される送信リソースを提供するために使用されて良い。ＵＥは、Ｐｃｅｌｌ内でページングを受信し、Ｐｃｅｌｌ内で競合に基づくランダムアクセス処理を実行して良い。
【０００４】
現在、標準的な場合には、ＬＴＥ  ＣＡシステム内のＵＥは、最大５個のダウンリンク搬送波の集約、及び最大２個のアップリンク搬送波の集約をサポートする。つまり、５個のダウンリンク搬送波のキャリアアグリゲーション及び１個のアップリンク搬送波のキャリアアグリゲーションが可能であり、５個のダウンリンク搬送波のキャリアアグリゲーション及び２個のアップリンク搬送波のキャリアアグリゲーションも可能である。
【０００５】
図２は、ＵＥが、時分割二重（Time  Division  Duplexing、ＴＤＤ）ＬＴＥシステムにおいて、２個のアップリンク搬送波のキャリアアグリゲーション及び５個のダウンリンク搬送波のキャリアアグリゲーションをサポートする概略図である。ＵＥが２個のアップリンク搬送波をサポートするので、ＵＥは、ＵＥが同時に作用する２個の搬送波上のアップリンクサブフレーム内でのみサウンディング参照信号（Sounding  Reference  Signal、ＳＲＳ）を送信できる。ＴＤＤ  ＬＴＥシステムは、時分割二重モードを使用し、同じ搬送波上で機能するアップリンクチャネル及びダウンリンクチャネルは、同様のチャネル特性を有し且つ相互関係にある。したがって、ＳＲＳが２個の搬送波上のアップリンクサブフレーム内でのみ送信される場合、２個の搬送波のダウンリンクチャネルのチャネル特性のみが取得でき、残りの３個の搬送波のダウンリンクチャネル特性は、アップリンクサブフレーム内で送信されるＳＲＳから取得できない。
【発明の概要】
【０００６】
以上に鑑み、（ＳＲＳのような）アップリンク参照信号が幾つかの搬送波上で送信されないとき、該幾つかの搬送波のダウンリンクチャネル特性のような情報が取得できないという、キャリアアグリゲーションシナリオにおける問題を解決するために、端末装置、ネットワーク装置、アップリンク送信方法、及びアップリンク受信方法が提供される。
【０００７】
第１の態様によると、本発明の一実施形態は、キャリアアグリゲーション・システムの端末装置であって、処理モジュールと送信モジュールとを含み、
前記処理モジュールは、第１アップリンクサブフレームのための第１搬送波セットから１又は複数の搬送波を選択するよう構成され、前記第１搬送波セットは、前記第１アップリンクサブフレームを送信するために前記端末装置により使用されるキャリアアグリゲーションの中の全ての搬送波を含み、
前記送信モジュールは、前記処理モジュールにより選択された前記１又は複数の搬送波上の前記第１アップリンクサブフレームの送信を取り消すよう構成され、
前記処理モジュールにより選択された前記１又は複数の搬送波は、通常搬送波又は特別搬送波であり、
前記特別搬送波は、前記端末装置がアップリンクでアップリンクデータ又はアップリンク制御情報のいずれも送信しない搬送波であり、前記通常搬送波は、アップリンクデータ及び／又はアップリンク制御情報を送信するために前記端末装置により使用される搬送波である、端末装置を提供する。
【０００８】
第１の態様を参照して、第１の可能な実装では、前記処理モジュールは、具体的に、
前記第１搬送波セットの中の全ての搬送波で前記第１アップリンクサブフレームを送信するための前記端末装置の電力和が、前記端末装置の最大送信電力より大きいとき、前記第１搬送波セットから前記１又は複数の搬送波を選択するよう構成され、
前記第１搬送波セットの中の前記選択された１又は複数の搬送波以外の搬送波で前記第１アップリンクサブフレームを送信するための前記端末装置の電力和は、前記端末装置の前記最大送信電力より大きくない。
【０００９】
第１の態様を参照して、第２の可能な実装では、前記処理モジュールは、具体的に、
前記端末装置の前記第１搬送波セットに含まれる搬送波の数が、前記端末装置により同時に送信可能なアップリンク搬送波の数より大きいとき、前記第１搬送波セットから前記１又は複数の搬送波を選択するよう構成され、
前記第１搬送波セットに含まれる前記搬送波の数から前記１又は複数の搬送波を減算することにより得られる搬送波の数は、前記端末装置により同時に送信可能なアップリンク搬送波の数より大きくない。
【００１０】
第１の態様、又は第１の態様の第１又は第２の可能な実装を参照して、第３の可能な実装では、前記特別搬送波は、前記端末装置がアップリンクでアップリンク信号のみを送信する搬送波であり、前記アップリンク信号はアップリンク参照信号及び／又はプリアンブル（preamble）を含む。
【００１１】
第１の態様の第３の可能な実装を参照して、第４の可能な実装では、前記アップリンク参照信号はサウンディング参照信号ＳＲＳである。
【００１２】
第２の態様によると、本発明の一実施形態は、キャリアアグリゲーション・システムのネットワーク装置であって、
端末装置が第１搬送波セットの中の１又は複数の搬送波上の第１アップリンクサブフレームの送信を取り消すと決定するよう構成される処理モジュールであって、前記第１搬送波セットは、前記第１アップリンクサブフレームを送信するために前記端末装置により使用されるキャリアアグリゲーションの中の全ての搬送波を含む、処理モジュールと、
前記１又は複数の搬送波上の前記第１アップリンクサブフレームの受信を取り消すよう構成される受信モジュールと、を含み、
前記１又は複数の搬送波は、通常搬送波又は特別搬送波であり、
前記特別搬送波は、前記端末装置がアップリンクでアップリンクデータ又はアップリンク制御情報のいずれも送信しない搬送波であり、前記通常搬送波は、アップリンクデータ及び／又はアップリンク制御情報を送信するために前記端末装置により使用される搬送波である、ネットワーク装置を提供する。
【００１３】
第２の態様を参照して、第１の可能な実装では、前記処理モジュールは、具体的に、
前記第１搬送波セットの中の全ての搬送波上で前記第１アップリンクサブフレームを送信するための前記端末装置の電力和が前記端末装置の最大送信電力より大きいと決定した場合、前記端末装置が前記第１搬送波セットの中の前記１又は複数の搬送波上の前記第１アップリンクサブフレームの送信を取り消すことを決定するよう構成される。
【００１４】
第２の態様を参照して、第２の可能な実装では、前記処理モジュールは、具体的に、
前記第１搬送波セットに含まれる搬送波の数が前記端末装置により同時に送信可能なアップリンク搬送波の数より大きいとき、前記端末装置が前記第１搬送波セットの中の前記１又は複数の搬送波上の前記第１アップリンクサブフレームの送信を取り消すことを決定するよう構成される。
【００１５】
第２の態様、又は第２の態様の第１又は第２の可能な実装を参照して、第３の可能な実装では、前記特別搬送波は、前記端末装置がアップリンクでアップリンク信号のみを送信する搬送波であり、前記アップリンク信号はアップリンク参照信号及び／又はプリアンブル（preamble）を含む。
【００１６】
第２の態様の第３の可能な実装を参照して、第４の可能な実装では、前記アップリンク参照信号はサウンディング参照信号ＳＲＳである。
【００１７】
第３の態様によると、本発明の一実施形態は、キャリアアグリゲーション・システムの端末装置であって、
前記端末装置が第２アップリンクサブフレームの中のＫ個の連続する直交周波数分割多重ＯＦＤＭシンボルの送信を取り消すことを決定するよう構成される処理モジュールであって、前記Ｋ個のＯＦＤＭシンボルは第２搬送波セットの中の１又は複数の通常搬送波上に配置され、前記第２搬送波セットは、前記第２アップリンクサブフレームを送信するために前記端末装置により使用されるキャリアアグリゲーションの中の全ての搬送波を含み、Ｋは正整数であり且つ前記第２アップリンクサブフレームに含まれるＯＦＤＭシンボルの数より大きくない、処理モジュールと、
前記第２搬送波セットの中の１又は複数の特別搬送波上の前記Ｋ個のシンボルの中で第１アップリンク信号を送信するよう構成される送信モジュールであって、前記特別搬送波は、前記端末装置がアップリンクでアップリンクデータ又はアップリンク制御情報のいずれも送信しない搬送波であり、前記通常搬送波は、アップリンクデータ及び／又はアップリンク制御情報を送信するために前記端末装置により使用される搬送波である、送信モジュールと、を含む端末装置を提供する。
【００１８】
第３の態様を参照して、第１の可能な実装では、前記Ｋ個のシンボルの長さは、少なくとも第１期間及び第２期間の和であり、
前記第１期間は、前記第１アップリンク信号を送信するために必要な期間であり、
前記第２期間は、前記端末装置が搬送波の間で切り換えられる期間である。
【００１９】
第３の態様の第１の可能な実装を参照して、第２の可能な実装では、前記第２搬送波セットの中の前記１又は複数の通常搬送波は、第１タイミングアドバンスグループＴＡＧ１に属し、前記第２搬送波セットの中の前記１又は複数の特別搬送波は、第２タイミングアドバンスグループＴＡＧ２に属し、
前記Ｋ個のシンボルの前記長さは、少なくとも前記第１期間と前記第２期間と前記第３期間との和であり、前記第３期間は、前記ＴＡＧ１と前記ＴＡＧ２との間のＴＡ差に従い予め合意された長さである。
【００２０】
第３の態様、又は第３の態様の第１又は第２の可能な実装を参照して、第３の可能な実装では、前記Ｋ個のシンボルは、前記第２アップリンクサブフレームの中の最後のＫ個のＯＦＤＭシンボルである。
【００２１】
第３の態様、又は第３の態様の第１乃至第３の可能な実装のうちのいずれか１つを参照して、第４の可能な実装では、前記送信モジュールは、第３搬送波セットの中の前記１又は複数の特別搬送波上の第３アップリンクサブフレームで第２アップリンク信号を送信するよう更に構成され、前記第３搬送波セットは、前記第３アップリンクサブフレームを送信するために前記端末装置により使用されるキャリアアグリゲーションの中の全ての搬送波を含み、
前記処理モジュールは、前記端末装置が前記第３アップリンクサブフレームの隣接サブフレームのＭ個の連続するＯＦＤＭシンボルの送信を取り消すことを決定するよう更に構成され、前記隣接サブフレームもアップリンクサブフレームであり、
前記Ｍ個のＯＦＤＭシンボルは、前記第３搬送波セットの中の１又は複数の通常搬送波上に配置され、Ｍは正整数であり且つ前記隣接サブフレームに含まれるＯＦＤＭシンボルの数より大きくない。
【００２２】
第３の態様の第４の可能な実装を参照して、第５の可能な実装では、前記Ｍ個のＯＦＤＭシンボルの長さは少なくとも前記第４期間であり、前記第４期間は、前記端末装置が搬送波の間で切り換えられる期間である。
【００２３】
第３の態様の第５の可能な実装を参照して、第６の可能な実装では、前記第３搬送波セットの中の前記１又は複数の通常搬送波は、第３タイミングアドバンスグループＴＡＧ３に属し、前記第３搬送波セットの中の前記１又は複数の特別搬送波は、第４タイミングアドバンスグループＴＡＧ４に属し、
前記Ｋ個のシンボルの前記長さは、少なくとも前記第４期間と前記第５期間との和であり、前記第５期間は、前記ＴＡＧ３と前記ＴＡＧ４との間のＴＡ差に従い予め合意された長さである。
【００２４】
第３の態様の第４乃至第６の可能な実装のうちのいずれか１つを参照して、第７の可能な実装では、前記隣接サブフレームが、前記第３アップリンクサブフレームの次のサブフレームである場合、前記Ｍ個のシンボルは前記次のサブフレームの中の最初のＭ個のＯＦＤＭシンボルであり、及び／又は、
前記隣接サブフレームが、前記第３アップリンクサブフレームの前のサブフレームである場合、前記Ｍ個のシンボルは前記前のサブフレームの中の最後のＭ個のＯＦＤＭシンボルである。
【００２５】
第３の態様の第４乃至第７の可能な実装のうちのいずれか１つを参照して、第８の可能な実装では、前記第２アップリンク信号は、アップリンク参照信号及び／又はプリアンブル（preamble）を含む。
【００２６】
第３の態様、第３の態様の第１乃至第８の可能な実装のうちのいずれか１つを参照して、第９の可能な実装では、前記処理モジュールは、具体的に、
前記第２搬送波セットの中の全ての搬送波で前記第２アップリンクサブフレームを送信するための前記端末装置の電力和が、前記端末装置の最大送信電力より大きいとき、前記端末装置が前記Ｋ個のＯＦＤＭシンボルの送信を取り消すことを決定するよう構成され、
前記第２搬送波セットの中の前記Ｋ個のＯＦＤＭシンボルが配置される前記１又は複数の通常搬送波以外の搬送波で前記第２アップリンクサブフレームを送信するための前記端末装置の電力和は、前記端末装置の前記最大送信電力より大きくない。
【００２７】
第３の態様、第３の態様の第１乃至第８の可能な実装のうちのいずれか１つを参照して、第１０の可能な実装では、前記処理モジュールは、具体的に、
前記端末装置の前記第２搬送波セットに含まれる搬送波の数が、前記端末装置により同時に送信可能なアップリンク搬送波の数より大きいとき、前記端末装置が前記Ｋ個のＯＦＤＭシンボルの送信を取り消すことを決定するよう構成され、
前記Ｋ個のＯＦＤＭシンボルが配置される前記１又は複数の通常搬送波を前記第２搬送波セットに含まれる前記搬送波の数から減算することにより得られる搬送波の数は、前記端末装置により同時に送信可能な前記アップリンク搬送波の数より大きくない。
【００２８】
第３の態様、又は第３の態様の第１乃至第１０の可能な実装のうちのいずれか１つを参照して、第１１の可能な実装では、前記第１アップリンク信号は、アップリンク参照信号及び／又はプリアンブル（preamble）を含む。
【００２９】
第３の態様の第８又は第１１の可能な実装を参照して、第１２の可能な実装では、前記アップリンク参照信号はサウンディング参照信号ＳＲＳである。
【００３０】
第４の態様によると、本発明の一実施形態は、キャリアアグリゲーション・システムのネットワーク装置であって、
端末装置が第２アップリンクサブフレームの中のＫ個の連続する直交周波数分割多重ＯＦＤＭシンボルの送信を取り消すことを決定し、前記端末装置が前記第２搬送波セットの中の１又は複数の特別搬送波上の前記Ｋ個のシンボルの中で第１アップリンク信号を送信することを決定するよう構成される処理モジュールであって、
前記Ｋ個のＯＦＤＭシンボルは第２搬送波セットの中の１又は複数の通常搬送波上に配置され、前記第２搬送波セットは、前記第２アップリンクサブフレームを送信するために前記端末装置により使用されるキャリアアグリゲーションの中の全ての搬送波を含み、Ｋは正整数であり且つ前記第２アップリンクサブフレームに含まれるＯＦＤＭシンボルの数より大きくない、処理モジュールと、
前記Ｋ個のシンボルの受信を取り消し、前記第２搬送波セットの中の前記１又は複数の特別搬送波上の前記Ｋ個のシンボルの中の前記第２アップリンク信号を受信するよう構成される送信モジュールであって、
前記特別搬送波は、前記端末装置がアップリンクでアップリンクデータ又はアップリンク制御情報のいずれも送信しない搬送波であり、前記通常搬送波は、アップリンクデータ及び／又はアップリンク制御情報を送信するために前記端末装置により使用される搬送波である、送信モジュールと、を含むネットワーク装置を提供する。
【００３１】
第４の態様を参照して、第１の可能な実装では、前記Ｋ個のシンボルの長さは、少なくとも第１期間及び第２期間の和であり、
前記第１期間は、前記第１アップリンク信号を送信するために必要な期間であり、
前記第２期間は、前記端末装置が搬送波の間で切り換えられる期間である。
【００３２】
第４の態様の第１の可能な実装を参照して、第２の可能な実装では、前記第２搬送波セットの中の前記１又は複数の通常搬送波は、第１タイミングアドバンスグループＴＡＧ１に属し、前記第２搬送波セットの中の前記１又は複数の特別搬送波は、第２タイミングアドバンスグループＴＡＧ２に属し、
前記Ｋ個のシンボルの前記長さは、少なくとも前記第１期間と前記第２期間と前記第３期間との和であり、前記第３期間は、前記ＴＡＧ１と前記ＴＡＧ２との間のＴＡ差に従い予め合意された長さである。
【００３３】
第４の態様、又は第４の態様の第１又は第２の可能な実装を参照して、第３の可能な実装では、前記Ｋ個のシンボルは、前記第２アップリンクサブフレームの中の最後のＫ個のＯＦＤＭシンボルである。
【００３４】
第４の態様、又は第４の態様の第１乃至第３の可能な実装のうちのいずれか１つを参照して、第４の可能な実装では、
前記処理モジュールは、前記端末装置が第３搬送波セットの中の前記１又は複数の特別搬送波上の第３アップリンクサブフレームで第２アップリンク信号を送信することを決定し、前記端末装置が前記第３アップリンクサブフレームの隣接サブフレームのＭ個の連続するＯＦＤＭシンボルの送信を取り消すことを決定するよう更に構成され、前記隣接サブフレームもアップリンクサブフレームであり、前記第３搬送波セットは、前記第３アップリンクサブフレームを送信するために前記端末装置により使用されるキャリアアグリゲーションの中の全ての搬送波を含み、
前記受信モジュールは、前記第３搬送波セットの中の前記１又は複数の特別搬送波上で前記第２アップリンク信号を受信し、前記第３アップリンクサブフレームの前記隣接サブフレームの中の前記Ｍ個の連続するＯＦＤＭシンボルの受信を取り消すよう更に構成され、
前記Ｍ個のＯＦＤＭシンボルは、前記第３搬送波セットの中の１又は複数の通常搬送波上に配置され、Ｍは正整数であり且つ前記隣接サブフレームに含まれるＯＦＤＭシンボルの数より大きくない。
【００３５】
第４の態様の第４の可能な実装を参照して、第５の可能な実装では、前記Ｍ個のＯＦＤＭシンボルの長さは少なくとも前記第４期間であり、前記第４期間は、前記端末装置が搬送波の間で切り換えられる期間である。
【００３６】
第４の態様の第５の可能な実装を参照して、第６の可能な実装では、前記第３搬送波セットの中の前記１又は複数の通常搬送波は、第３タイミングアドバンスグループＴＡＧ３に属し、前記第３搬送波セットの中の前記１又は複数の特別搬送波は、第４タイミングアドバンスグループＴＡＧ４に属し、
前記Ｋ個のシンボルの前記長さは、少なくとも前記第４期間と前記第５期間との和であり、前記第５期間は、前記ＴＡＧ３と前記ＴＡＧ４との間のＴＡ差に従い予め合意された長さである。
【００３７】
第４の態様の第４乃至第６の可能な実装のうちのいずれか１つを参照して、第７の可能な実装では、前記隣接サブフレームが、前記第３アップリンクサブフレームの次のサブフレームである場合、前記Ｍ個のシンボルは前記次のサブフレームの中の最初のＭ個のＯＦＤＭシンボルであり、及び／又は、
前記隣接サブフレームが、前記第３アップリンクサブフレームの前のサブフレームである場合、前記Ｍ個のシンボルは前記前のサブフレームの中の最後のＭ個のＯＦＤＭシンボルである。
【００３８】
第４の態様の第４乃至第７の可能な実装のうちのいずれか１つを参照して、第８の可能な実装では、前記第２アップリンク信号は、アップリンク参照信号及び／又はプリアンブル（preamble）を含む。
【００３９】
第４の態様、又は第４の態様の第１乃至第８の可能な実装のうちのいずれか１つを参照して、第９の可能な実装では、前記処理モジュールは、具体的に、
前記第２搬送波セットの中の全ての搬送波上で前記第２アップリンクサブフレームを送信するための前記端末装置の電力和が前記端末装置の最大送信電力より大きいと決定した場合、前記端末装置が前記Ｋ個のＯＦＤＭシンボルの送信を取り消すことを決定するよう構成される。
【００４０】
第４の態様、又は第４の態様の第１乃至第８の可能な実装のうちのいずれか１つを参照して、第１０の可能な実装では、前記処理モジュールは、具体的に、
前記第２搬送波セットに含まれる搬送波の数が前記端末装置により同時に送信可能なアップリンク搬送波の数より大きいとき、前記端末装置が前記Ｋ個のＯＦＤＭシンボルの送信を取り消すことを決定するよう構成される。
【００４１】
第４の態様、又は第４の態様の第１乃至第１０の可能な実装のうちのいずれか１つを参照して、第１１の可能な実装では、前記第１アップリンク信号は、アップリンク参照信号及び／又はプリアンブル（preamble）を含む。
【００４２】
第４の態様の第８又は第１１の可能な実装を参照して、第１２の可能な実装では、前記アップリンク参照信号はサウンディング参照信号ＳＲＳである。
【００４３】
第５の態様によると、本発明の一実施形態は、アップリンク送信方法であって、キャリアアグリゲーション・システムに適用され、
端末装置により、第１アップリンクサブフレームのために第１搬送波セットから１又は複数の搬送波を選択するステップであって、前記第１搬送波セットは、前記第１アップリンクサブフレームを送信するために前記端末装置により使用されるキャリアアグリゲーションの中の全ての搬送波を含む、ステップと、
前記端末装置により、前記選択された１又は複数の搬送波上の前記第１アップリンクサブフレームの送信を取り消すステップと、を含み、
前記選択された１又は複数の搬送波は、通常搬送波又は特別搬送波であり、
前記特別搬送波は、前記端末装置がアップリンクでアップリンクデータ又はアップリンク制御情報のいずれも送信しない搬送波であり、前記通常搬送波は、アップリンクデータ及び／又はアップリンク制御情報を送信するために前記端末装置により使用される搬送波である、アップリンク送信方法を提供する。
【００４４】
第５の態様を参照して、第１の可能な実装では、端末装置により第１搬送波セットから１又は複数の搬送波を選択する前記ステップは、
前記第１搬送波セットの中の全ての搬送波で前記第１アップリンクサブフレームを送信するための前記端末装置の電力和が、前記端末装置の最大送信電力より大きいとき、前記第１搬送波セットから前記１又は複数の搬送波を選択するステップ、を含み、
前記第１搬送波セットの中の前記選択された１又は複数の搬送波以外の搬送波で前記第１アップリンクサブフレームを送信するための前記端末装置の電力和は、前記端末装置の前記最大送信電力より大きくない。
【００４５】
第５の態様を参照して、第２の可能な実装では、端末装置により、第１搬送波セットから１又は複数の搬送波を選択する前記ステップは、
前記端末装置の前記第１搬送波セットに含まれる搬送波の数が、前記端末装置により同時に送信可能なアップリンク搬送波の数より大きいとき、前記第１搬送波セットから前記１又は複数の搬送波を選択するステップ、を含み、
前記第１搬送波セットに含まれる前記搬送波の数から前記１又は複数の搬送波を減算することにより得られる搬送波の数は、前記端末装置により同時に送信可能なアップリンク搬送波の数より大きくない。
【００４６】
第５の態様、又は第５の態様の第１又は第２の可能な実装を参照して、第３の可能な実装では、前記特別搬送波は、前記端末装置がアップリンクでアップリンク信号のみを送信する搬送波であり、前記アップリンク信号はアップリンク参照信号及び／又はプリアンブル（preamble）を含む。
【００４７】
第５の態様の第３の可能な実装を参照して、第４の可能な実装では、前記アップリンク参照信号はサウンディング参照信号ＳＲＳである。
【００４８】
第６の態様によると、本発明の一実施形態は、アップリンク受信方法であって、キャリアアグリゲーション・システムに適用され、
ネットワーク装置により、端末装置が第１搬送波セットの中の１又は複数の搬送波上の第１アップリンクサブフレームの送信を取り消すと決定するステップであって、前記第１搬送波セットは、前記第１アップリンクサブフレームを送信するために前記端末装置により使用されるキャリアアグリゲーションの中の全ての搬送波を含む、ステップと、
前記ネットワーク装置により、前記１又は複数の搬送波上の前記第１アップリンクサブフレームの受信を取り消すステップと、を含み、
前記１又は複数の搬送波は、通常搬送波又は特別搬送波であり、
前記特別搬送波は、前記端末装置がアップリンクでアップリンクデータ又はアップリンク制御情報のいずれも送信しない搬送波であり、前記通常搬送波は、アップリンクデータ及び／又はアップリンク制御情報を送信するために前記端末装置により使用される搬送波である、アップリンク受信方法を提供する。
【００４９】
第６の態様を参照して、第１の可能な実装では、ネットワーク装置により、端末装置が第１搬送波セットの中の１又は複数の搬送波上の第１アップリンクサブフレームの送信を取り消すことを決定する前記ステップは、
前記第１搬送波セットの中の全ての搬送波上で前記第１アップリンクサブフレームを送信するための前記端末装置の電力和が、前記端末装置の最大送信電力より大きい場合、前記ネットワーク装置により、前記端末装置が前記第１搬送波セットの中の前記１又は複数の搬送波上での前記第１アップリンクサブフレームの送信を取り消すことを決定するステップ、を含む。
【００５０】
第６の態様を参照して、第２の可能な実装では、ネットワーク装置により、端末装置が第１搬送波セットの中の１又は複数の搬送波上の第１アップリンクサブフレームの送信を取り消すことを決定する前記ステップは、
前記第１搬送波セットに含まれる搬送波の数が、前記端末装置により同時に送信可能なアップリンク搬送波の数より大きいとき、前記ネットワーク装置により、前記端末装置が前記第１搬送波セットの中の前記１又は複数の搬送波上での前記第１アップリンクサブフレームの送信を取り消すことを決定するステップ、を含む。
【００５１】
第６の態様、又は第６の態様の第１又は第２の可能な実装を参照して、第３の可能な実装では、前記特別搬送波は、前記端末装置がアップリンクでアップリンク信号のみを送信する搬送波であり、前記アップリンク信号はアップリンク参照信号及び／又はプリアンブル（preamble）を含む。
【００５２】
第６の態様の第３の可能な実装を参照して、第４の可能な実装では、前記アップリンク参照信号はサウンディング参照信号ＳＲＳである。
【００５３】
第７の態様によると、本発明の一実施形態は、アップリンク送信方法であって、キャリアアグリゲーション・システムに適用され、
端末装置により、第２アップリンクサブフレームの中のＫ個の連続する直交周波数分割多重ＯＦＤＭシンボルの送信を取り消すことを決定するステップであって、
前記Ｋ個のＯＦＤＭシンボルは第２搬送波セットの中の１又は複数の通常搬送波上に配置され、前記第２搬送波セットは、前記第２アップリンクサブフレームを送信するために前記端末装置により使用されるキャリアアグリゲーションの中の全ての搬送波を含み、Ｋは正整数であり且つ前記第２アップリンクサブフレームに含まれるＯＦＤＭシンボルの数より大きくない、ステップと、
前記端末装置により、前記第２搬送波セットの中の１又は複数の特別搬送波上の前記Ｋ個のシンボルの中で第１アップリンク信号を送信するステップであって、
前記特別搬送波は、前記端末装置がアップリンクでアップリンクデータ又はアップリンク制御情報のいずれも送信しない搬送波であり、前記通常搬送波は、アップリンクデータ及び／又はアップリンク制御情報を送信するために前記端末装置により使用される搬送波である、ステップと、を含むアップリンク送信方法が提供される。
【００５４】
第７の態様を参照して、第１の可能な実装では、前記Ｋ個のシンボルの長さは、少なくとも第１期間及び第２期間の和であり、
前記第１期間は、前記第１アップリンク信号を送信するために必要な期間であり、
前記第２期間は、前記端末装置が搬送波の間で切り換えられる期間である。
【００５５】
第７の態様の第１の可能な実装を参照して、第２の可能な実装では、前記第２搬送波セットの中の前記１又は複数の通常搬送波は、第１タイミングアドバンスグループＴＡＧ１に属し、前記第２搬送波セットの中の前記１又は複数の特別搬送波は、第２タイミングアドバンスグループＴＡＧ２に属し、
前記Ｋ個のシンボルの前記長さは、少なくとも前記第１期間と前記第２期間と前記第３期間との和であり、前記第３期間は、前記ＴＡＧ１と前記ＴＡＧ２との間のＴＡ差に従い予め合意された長さである。
【００５６】
第７の態様、又は第７の態様の第１又は第２の可能な実装を参照して、第３の可能な実装では、前記Ｋ個のシンボルは、前記第２アップリンクサブフレームの中の最後のＫ個のＯＦＤＭシンボルである。
【００５７】
第７の態様、又は第７の態様の第１乃至第３の可能な実装のうちのいずれか１つを参照して、第４の可能な実装では、前記方法は、
前記端末装置により、第３搬送波セットの中の前記１又は複数の特別搬送波上の第３アップリンクサブフレームで第２アップリンク信号を送信するステップであって、前記第３搬送波セットは、前記第３アップリンクサブフレームを送信するために前記端末装置により使用されるキャリアアグリゲーションの中の全ての搬送波を含む、ステップと、
前記端末装置により、前記第３アップリンクサブフレームの隣接サブフレームのＭ個の連続するＯＦＤＭシンボルの送信を取り消すことを決定するステップであって、前記隣接サブフレームもアップリンクサブフレームであり、
前記Ｍ個のＯＦＤＭシンボルは、前記第３搬送波セットの中の１又は複数の通常搬送波上に配置され、Ｍは正整数であり且つ前記隣接サブフレームに含まれるＯＦＤＭシンボルの数より大きくない、ステップと、を更に含む。
【００５８】
第７の態様の第４の可能な実装を参照して、第５の可能な実装では、前記Ｍ個のＯＦＤＭシンボルの長さは少なくとも前記第４期間であり、前記第４期間は、前記端末装置が搬送波の間で切り換えられる期間である。
【００５９】
第７の態様の第５の可能な実装を参照して、第６の可能な実装では、前記第３搬送波セットの中の前記１又は複数の通常搬送波は、第３タイミングアドバンスグループＴＡＧ３に属し、前記第３搬送波セットの中の前記１又は複数の特別搬送波は、第４タイミングアドバンスグループＴＡＧ４に属し、
前記Ｋ個のシンボルの前記長さは、少なくとも前記第４期間と前記第５期間との和であり、前記第５期間は、前記ＴＡＧ３と前記ＴＡＧ４との間のＴＡ差に従い予め合意された長さである。
【００６０】
第７の態様の第４乃至第６の可能な実装のうちのいずれか１つを参照して、第７の可能な実装では、前記隣接サブフレームが、前記第３アップリンクサブフレームの次のサブフレームである場合、前記Ｍ個のシンボルは前記次のサブフレームの中の最初のＭ個のＯＦＤＭシンボルであり、及び／又は、
前記隣接サブフレームが、前記第３アップリンクサブフレームの前のサブフレームである場合、前記Ｍ個のシンボルは前記前のサブフレームの中の最後のＭ個のＯＦＤＭシンボルである。
【００６１】
第７の態様の第４乃至第７の可能な実装のうちのいずれか１つを参照して、第８の可能な実装では、前記第２アップリンク信号は、アップリンク参照信号及び／又はプリアンブル（preamble）を含む。
【００６２】
第７の態様、第７の態様の第１乃至第８の可能な実装のうちのいずれか１つを参照して、第９の可能な実装では、端末装置により、第２アップリンクサブフレームの中のＫ個のＯＦＤＭシンボルの送信を取り消すことを決定する前記ステップは、
前記第２搬送波セットの中の全ての搬送波で前記第２アップリンクサブフレームを送信するための前記端末装置の電力和が、前記端末装置の最大送信電力より大きいとき、前記端末装置が前記Ｋ個のＯＦＤＭシンボルの送信を取り消すことを決定するステップ、を含み、
前記第２搬送波セットの中の前記Ｋ個のＯＦＤＭシンボルが配置される前記１又は複数の通常搬送波以外の搬送波で前記第２アップリンクサブフレームを送信するための前記端末装置の電力和は、前記端末装置の前記最大送信電力より大きくない。
【００６３】
第７の態様、第７の態様の第１乃至第８の可能な実装のうちのいずれか１つを参照して、第１０の可能な実装では、端末装置により、第２アップリンクサブフレームの中のＫ個のＯＦＤＭシンボルの送信を取り消すことを決定する前記ステップは、
前記端末装置の前記第２搬送波セットに含まれる搬送波の数が、前記端末装置により同時に送信可能なアップリンク搬送波の数より大きいとき、前記Ｋ個のＯＦＤＭシンボルの送信を取り消すステップ、を含み、
前記Ｋ個のＯＦＤＭシンボルが配置される前記１又は複数の通常搬送波を前記第２搬送波セットに含まれる前記搬送波の数から減算することにより得られる搬送波の数は、前記端末装置により同時に送信可能な前記アップリンク搬送波の数より大きくない。
【００６４】
第７の態様、又は第７の態様の第１乃至第１０の可能な実装のうちのいずれか１つを参照して、第１１の可能な実装では、前記第１アップリンク信号は、アップリンク参照信号及び／又はプリアンブル（preamble）を含む。
【００６５】
第７の態様の第８又は第１１の可能な実装を参照して、第１２の可能な実装では、前記アップリンク参照信号はサウンディング参照信号ＳＲＳである。
【００６６】
第８の態様によると、本発明の一実施形態は、アップリンク受信方法であって、キャリアアグリゲーション・システムに適用され、
ネットワーク装置により、端末装置が第２アップリンクサブフレームの中のＫ個の連続する直交周波数分割多重ＯＦＤＭシンボルの送信を取り消すことを決定し、前記端末装置が前記第２搬送波セットの中の１又は複数の特別搬送波上の前記Ｋ個のシンボルの中で第１アップリンク信号を送信することを決定するステップであって、
前記Ｋ個のＯＦＤＭシンボルは前記第２搬送波セットの中の１又は複数の通常搬送波上に配置され、前記第２搬送波セットは、前記第２アップリンクサブフレームを送信するために前記端末装置により使用されるキャリアアグリゲーションの中の全ての搬送波を含み、Ｋは正整数であり且つ前記第２アップリンクサブフレームに含まれるＯＦＤＭシンボルの数より大きくない、ステップと、
前記ネットワーク装置により、前記Ｋ個のシンボルの受信を取り消し、前記第２搬送波セットの中の前記１又は複数の特別搬送波上の前記Ｋ個のシンボルの中の前記第２アップリンク信号を受信するステップであって、
前記特別搬送波は、前記端末装置がアップリンクでアップリンクデータ又はアップリンク制御情報のいずれも送信しない搬送波であり、前記通常搬送波は、アップリンクデータ及び／又はアップリンク制御情報を送信するために前記端末装置により使用される搬送波である、ステップと、を含むアップリンク受信方法を提供する。
【００６７】
第８の態様を参照して、第１の可能な実装では、前記Ｋ個のシンボルの長さは、少なくとも第１期間及び第２期間の和であり、
前記第１期間は、前記第１アップリンク信号を送信するために必要な期間であり、
前記第２期間は、前記端末装置が搬送波の間で切り換えられる期間である。
【００６８】
第８の態様の第１の可能な実装を参照して、第２の可能な実装では、前記第２搬送波セットの中の前記１又は複数の通常搬送波は、第１タイミングアドバンスグループＴＡＧ１に属し、前記第２搬送波セットの中の前記１又は複数の特別搬送波は、第２タイミングアドバンスグループＴＡＧ２に属し、
前記Ｋ個のシンボルの前記長さは、少なくとも前記第１期間と前記第２期間と前記第３期間との和であり、前記第３期間は、前記ＴＡＧ１と前記ＴＡＧ２との間のＴＡ差に従い予め合意された長さである。
【００６９】
第８の態様、又は第８の態様の第１又は第２の可能な実装を参照して、第３の可能な実装では、前記Ｋ個のシンボルは、前記第２アップリンクサブフレームの中の最後のＫ個のＯＦＤＭシンボルである。
【００７０】
第８の態様、又は第８の態様の第１乃至第３の可能な実装のうちのいずれか１つを参照して、第４の可能な実装では、前記方法は、
前記ネットワーク装置により、前記端末装置が第３搬送波セットの中の前記１又は複数の特別搬送波上の第３アップリンクサブフレームで第２アップリンク信号を送信することを決定し、前記端末装置が前記第３アップリンクサブフレームの隣接サブフレームのＭ個の連続するＯＦＤＭシンボルの送信を取り消すことを決定するステップであって、前記隣接サブフレームもアップリンクサブフレームであり、前記第３搬送波セットは、前記第３アップリンクサブフレームを送信するために前記端末装置により使用されるキャリアアグリゲーションの中の全ての搬送波を含む、ステップと、
前記ネットワーク装置により、前記第３搬送波セットの中の前記１又は複数の特別搬送波上で前記第２アップリンク信号を受信し、前記第３アップリンクサブフレームの前記隣接サブフレームの中の前記Ｍ個の連続するＯＦＤＭシンボルの受信を取り消すステップであって、前記Ｍ個のＯＦＤＭシンボルは、前記第３搬送波セットの中の１又は複数の通常搬送波上に配置され、Ｍは正整数であり且つ前記隣接サブフレームに含まれるＯＦＤＭシンボルの数より大きくない、ステップと、を更に含む。
【００７１】
第８の態様の第４の可能な実装を参照して、第５の可能な実装では、前記Ｍ個のＯＦＤＭシンボルの長さは少なくとも前記第４期間であり、前記第４期間は、前記端末装置が搬送波の間で切り換えられる期間である。
【００７２】
第８の態様の第５の可能な実装を参照して、第６の可能な実装では、前記第３搬送波セットの中の前記１又は複数の通常搬送波は、第３タイミングアドバンスグループＴＡＧ３に属し、前記第３搬送波セットの中の前記１又は複数の特別搬送波は、第４タイミングアドバンスグループＴＡＧ４に属し、
前記Ｋ個のシンボルの前記長さは、少なくとも前記第４期間と前記第５期間との和であり、前記第５期間は、前記ＴＡＧ３と前記ＴＡＧ４との間のＴＡ差に従い予め合意された長さである。
【００７３】
第８の態様の第４乃至第６の可能な実装のうちのいずれか１つを参照して、第７の可能な実装では、前記隣接サブフレームが、前記第３アップリンクサブフレームの次のサブフレームである場合、前記Ｍ個のシンボルは前記次のサブフレームの中の最初のＭ個のＯＦＤＭシンボルであり、及び／又は、
前記隣接サブフレームが、前記第３アップリンクサブフレームの前のサブフレームである場合、前記Ｍ個のシンボルは前記前のサブフレームの中の最後のＭ個のＯＦＤＭシンボルである。
【００７４】
第８の態様の第４乃至第７の可能な実装のうちのいずれか１つを参照して、第８の可能な実装では、前記第２アップリンク信号は、アップリンク参照信号及び／又はプリアンブル（preamble）を含む。
【００７５】
第８の態様、又は第８の態様の第１乃至第８の可能な実装を参照して、第９の可能な実装では、ネットワーク装置により、端末装置が第２アップリンクサブフレームの中のＫ個のＯＦＤＭシンボルの送信を取り消すことを決定する前記ステップは、
前記第２搬送波セットの中の全ての搬送波上で前記第２アップリンクサブフレームを送信するための前記端末装置の電力和が前記端末装置の最大送信電力より大きいと決定した場合、前記ネットワーク装置により、前記端末装置が前記Ｋ個のＯＦＤＭシンボルの送信を取り消すことを決定するステップ、を含む。
【００７６】
第８の態様、又は第８の態様の第１乃至第８の可能な実装を参照して、第１０の可能な実装では、ネットワーク装置により、端末装置が第２アップリンクサブフレームの中のＫ個のＯＦＤＭシンボルの送信を取り消すことを決定する前記ステップは、
前記第２搬送波セットに含まれる搬送波の数が前記端末装置により同時の送信可能なアップリンク搬送波の数より大きいとき、前記ネットワーク装置により、前記端末装置が前記Ｋ個のＯＦＤＭシンボルの送信を取り消すことを決定するステップ、を含む。
【００７７】
第８の態様、又は第８の態様の第１乃至第１０の可能な実装のうちのいずれか１つを参照して、第１１の可能な実装では、前記第１アップリンク信号は、アップリンク参照信号及び／又はプリアンブル（preamble）を含む。
【００７８】
第８の態様の第８又は第１１の可能な実装を参照して、第１２の可能な実装では、前記アップリンク参照信号はサウンディング参照信号ＳＲＳである。
【００７９】
本発明の実施形態では、端末装置は、幾つかの搬送波上のアップリンクサブフレーム又はアップリンクサブフレームの幾つかのＯＤＦＭシンボルを拒否し、それにより、（ＳＲＳのような）アップリンク参照信号が幾つかの搬送波上で送信されないときに該幾つかの搬送波上のダウンリンクチャネル特性のような情報が取得できないという問題を解決する。さらに、衝突が回避される。
【図面の簡単な説明】
【００８０】
【図１】キャリアアグリゲーションの原理の概略図である。
【００８１】
【図２】ＬＴＥ  ＣＡシステムにおけるＳＲＳ送信方法の概略図である。
【００８２】
【図３】ＬＴＥ  ＣＡシステムにおけるアップリンクＳＲＳのみのキャリアの概略図である。
【００８３】
【図４】通常搬送波及び特別搬送波上の同時アップリンク送信がＵＥのアップリンク送信能力を超える概略図である。
【００８４】
【図５】本発明の一実施形態による無線通信システムの概略構造図である。
【００８５】
【図６】通常搬送波及び特別搬送波上の同時アップリンク送信がＵＥのアップリンク送信能力を超える概略図である。
【００８６】
【図７】本発明の一実施形態による幾つかの搬送波上でのアップリンクサブフレームの送信を取り消す概略図である。
【００８７】
【図８】本発明の一実施形態による通常搬送波上の幾つかの直交周波数分割多重（Orthogonal  Frequency  Division  Multiplexing、ＯＦＤＭ）シンボルを拒否する概略図である。
【００８８】
【図９】本発明の一実施形態による第１端末装置の概略構造図である。
【００８９】
【図１０】本発明の一実施形態による第１ネットワーク装置の概略構造図である。
【００９０】
【図１１】本発明の一実施形態による第２端末装置の概略構造図である。
【００９１】
【図１２】本発明の一実施形態による第２ネットワーク装置の概略構造図である。
【００９２】
【図１３】本発明の一実施形態によるアップリンク信号を送信する第１方法のフローチャートである。
【００９３】
【図１４】本発明の一実施形態によるアップリンク信号を受信する第１方法のフローチャートである。
【００９４】
【図１５】本発明の一実施形態によるアップリンク信号を送信する第２方法のフローチャートである。
【００９５】
【図１６】本発明の一実施形態によるアップリンク信号を受信する第２方法のフローチャートである。
【発明を実施するための形態】
【００９６】
概して、ＬＴＥ  ＣＡシステムでは、ＵＥにより同時に送信できるアップリンク搬送波の数は限られている。この限られたアップリンク送信能力によると、例えば図２中の残りの３個の搬送波のダウンリンクチャネル特性を取得するために、複数のアップリンク搬送波が同時送信のためにＵＥについて構成され得る。構成された複数のアップリンク搬送波の数は、ＵＥにより同時に送信可能なアップリンク搬送波の最大数を超える。ＵＥは、時分割方法で異なるアップリンク搬送波上でＳＲＳを送信する。この場合、ＵＥのアップリンク送信能力は送信の瞬間に超過されない。例えば、ＳＲＳは、図３に示す時刻１において搬送波１及び搬送波２で送信され、ＳＲＳは、時刻２において搬送波３及び搬送波４で送信される。
【００９７】
物理アップリンク共有チャネル（Physical  Uplink  Shared  CHannel、ＰＵＳＣＨ）のようなアップリンクデータ、又は物理アップリンク制御チャネル（Physical  Uplink  Control  CHannel、ＰＵＣＣＨ）のようなアップリンク制御情報のいずれも、搬送波３及び搬送波４上のアップリンクサブフレームの中で送信されない場合、これら２個の搬送波は特別搬送波として参照され、他の搬送波は通常（normal）搬送波として参照される。
【００９８】
アップリンクデータは、アップリンク物理層データであって良く、サービスデータ、上位レイヤシグナリング、等を含む。アップリンク制御情報は物理層制御情報であり、物理層アップリンク制御情報はＰＵＣＣＨを用いて送信されて良い。
【００９９】
任意で、特別搬送波は、アップリンクサブフレーム内でＳＲＳのみを送信するために使用されて良い。この場合、特別搬送波は、ＳＲＳのみがアップリンクで送信される搬送波（アップリンクＳＲＳ  ｏｎｌｙ搬送波）として参照される。任意で、特別搬送波は、アップリンクサブフレーム内でプリアンブル（Preamble）のみを送信するために使用されて良い。この場合、特別搬送波は、プリアンブルのみがアップリンクで送信される搬送波（アップリンクＰｒｅａｍｂｌｅ  ｏｎｌｙ搬送波）として参照される。任意で、特別搬送波は、アップリンクサブフレーム内でプリアンブル及びＳＲＳを送信するために使用されて良い。
【０１００】
通常搬送波は、アップリンクサブフレーム内でアップリンク制御情報及び／又はアップリンクデータを送信するために使用されて良い。追加で、通常搬送波は、アップリンクサブフレーム内でＳＲＳ又はプリアンブルのようなアップリンク信号を送信するために使用されて良い。
【０１０１】
図４に示すように、搬送波１及び搬送波２は通常搬送波であり、搬送波３は特別搬送波である。ＵＥのアップリンク送信能力は、最大２個のアップリンク搬送波を同時に送信することである。
【０１０２】
同じアップリンクサブフレーム内で、ＳＲＳが搬送波３で送信され、ＳＲＳ及びＰＵＣＣＨが搬送波２で送信されるとき、ＵＥがアップリンクスケジューリングを受信し、搬送波１上のアップリンクサブフレーム内でＰＵＳＣＨを送信する必要のある場合、又はＵＥが搬送波１上のアップリンクサブフレーム内でＰＵＣＣＨを送信する必要のある場合（ＰＵＳＣＨ送信及び／又はＰＵＣＣＨ送信のようなアップリンク送信は、「アップリンク通常送信」として参照される）、ＵＥのアップリンク送信能力が超過される。
【０１０３】
この場合、通常搬送波及び特別搬送波上の同時アップリンク送信は、ＵＥのアップリンク送信能力を超過し得る。この状況は、「衝突」として参照される。
【０１０４】
本発明の実施形態では、端末装置は、幾つかの搬送波上のアップリンクサブフレーム又は幾つかの搬送波上のアップリンクサブフレームの幾つかのＯＦＤＭシンボルを拒否し、それにより、（ＳＲＳのような）アップリンク参照信号が幾つかの搬送波上で送信されないときに該幾つかの搬送波上のダウンリンクチャネル特性のような情報が取得できないという問題を解決する。さらに、衝突が回避される。以下は添付の図面を参照して詳細な説明を提供する。
【０１０５】
本発明の実施形態では、用語「システム」及び「ネットワーク」は、本願明細書において同義的に用いられることがある。本願明細書において用語「及び／又は」は、関連するオブジェクトを説明するための関連付け関係を記載するだけであり、３つの関係が存在し得ることを表す。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【０１０６】
図５は、本発明の一実施形態による無線通信システムの概略構造図である。図５に示すように、システムは、端末装置５０１と、ネットワーク装置５０２と、を含む。端末装置５０１はアップリンク送信を実行するよう構成され、ネットワーク装置５０２はアップリンク受信を実行するよう構成される。
【０１０７】
図５に示す無線通信システムの通信規格は、限定ではないが、グローバルシステム・フォー・モバイルコミュニケーション（Global  System  of  Mobile  communication、ＧＳＭ（登録商標））、符号分割多元接続（Code  Division  Multiple  Access、ＣＤＭＡ）ＩＳ−９５、符号分割多元接続（Code  Division  Multiple  Access、ＣＤＭＡ）２０００、時分割−同期符号分割多元接続（Time  Division−Synchronous  Code  Division  Multiple  Access、ＴＤ−ＳＣＤＭＡ）、広帯域符号分割多元接続（Wideband  Code  Division  Multiple  Access、ＷＣＤＭＡ（登録商標））、時分割二重−ロングタームエボリューション（Time  Division  Duplexing−Long  Term  Evolution、ＴＤＤ  ＬＴＥ）、周波数分割二重−ロングタームエボリューション（Frequency  Division  Duplexing−Long  Term  Evolution、ＦＤＤ  ＬＴＥ）、ロングタームエボリューション・アドバンスト（Long  Term  Evolution−Advanced、ＬＴＥ−ａｄｖａｎｃｅｄ）、簡易型携帯電話（Personal  Handy−phone  System、ＰＨＳ）、８０２．１１プロトコルファミリの中で仕様を定められた無線フィデリティ（Wireless  Fidelity、Ｗｉ−Ｆｉ）、マイクロ波接続のための世界的相互運用（Worldwide  Interoperability  for  Microwave  Access、ＷｉＭＡＸ）、及び将来の様々な進化した無線通信システムを含む。
【０１０８】
本発明の本実施形態は、アップリンク参照信号が幾つかの搬送波上で送信されないときに、該幾つかの搬送波のダウンリンクチャネル特性のような情報が取得できないという問題を解決するために、複数の搬送波上での同時アップリンク送信のキャリアアグリゲーションをサポートする任意の無線通信システムに適用できる。さらに、以下の問題：通常搬送波及び特別搬送波上の同時アップリンク送信が、端末装置のアップリンク送信能力を超えることがある、が解決できる。
【０１０９】
端末装置５０１は、無線端末であって良い。無線端末は、ユーザに音声及び／又はデータ接続性を提供する装置、無線接続機能を備えるハンドヘルド装置、又は無線モデムに接続された別の処理装置であって良い。無線端末は、（ＲＡＮ、Radio  Access  Networkのような）無線アクセスネットワークを用いて１又は複数のコアネットワークと通信して良い。無線端末は、携帯電話機（又は「セルラ」フォンとして参照される）のようなモバイル端末及びモバイル端末を備えるコンピュータであって良い。例えば、無線端末は、無線アクセスネットワークと音声及び／又はデータを交換するポータブルな、ポケットサイズの、ハンドヘルドの、コンピュータ内蔵又は車載モバイル機器であって良い。例えば、無線端末は、パーソナル通信サービス（ＰＣＳ、Personal  Communication  Service）フォン、コードレス電話機セット、セッション開始プロトコル（ＳＩＰ）フォン、無線ローカルループ（ＷＬＬ、Wireless  Local  Loop）局、又はパーソナルデジタルアシスタント（ＰＤＡ、Personal  Digital  Assistant）のような装置であって良い。無線端末は、加入者ユニット（Subscriber  Unit）、加入者局（Subscriber  Station）、移動局（Mobile  Station）、移動局（Mobile）、リモート局（Remote  Station）、アクセスポイント（Access  Point）、リモート端末（Remote  Terminal）、アクセス端末（Access  Terminal）、ユーザ端末（User  Terminal）、ユーザエージェント（User  Agent）、ユーザ装置（User  Device）、又はユーザ機器（User  Equipment）としても参照されて良い。
【０１１０】
ネットワーク装置５０２は、基地局又は基地局を制御する無線リソース管理装置を含んで良く、或いは、基地局及び該基地局を制御する無線リソース管理を含んで良い。基地局は、マクロ基地局、又はスモールセル（small  cell）若しくはピコセル（pico  cell）のようなマイクロ基地局であって良い。基地局は、ホームＮｏｄｅＢ（Home  NodeB、ＨＮＢ）又はホーム進化型ＮｏｄｅＢ（Home  eNodeB、ＨｅＮＢ）のようなホーム基地局であって良い。基地局は、中継ノード（relay）等を含んで良い。
【０１１１】
例えば、ＴＤＤ  ＬＴＥシステム又はＬＴＥ−ＡシステムのようなＬＴＥシステムでは、本発明の本実施形態で提供される無線通信システムの中のネットワーク装置５０２は、進化型ＮｏｄｅＢ（evolved  NodeB、ｅＮｏｄｅＢ）であって良く、端末装置５０１はＵＥであって良い。ＴＤ−ＳＣＤＭＡシステムでは、本発明の本実施形態で提供される無線通信システムの中のネットワーク装置５０２は、ＮｏｄｅＢ（NodeB）及び／又は無線ネットワーク制御部（Radio  Network  Controller、ＲＮＣ）を含んで良く、端末装置５０１はＵＥであって良い。
【０１１２】
本発明の本実施形態は、（ＳＲＳのような）アップリンク参照信号が幾つかの搬送波上で送信されないとき、該幾つかの搬送波のダウンリンクチャネル特性のような情報が取得できないという問題を解決するために、以下の２つの任意的ソリューションを含む複数のソリューションを提供する。さらに、衝突が回避される。以下は、２つのソリューションを別個に詳細に記載する。
【０１１３】
任意的ソリューション１
【０１１４】
任意的ソリューション１では、端末装置５０１は、アップリンクサブフレームのために、搬送波セットから１又は複数の搬送波を選択する。搬送波セットは、アップリンクサブフレームを送信するために端末装置５０１により使用されるキャリアアグリゲーションの中の全ての搬送波を含む。端末装置５０１は、選択された１又は複数の搬送波上のアップリンクサブフレームの送信を取り消す。選択された１又は複数の搬送波は、通常搬送波又は特別搬送波である。
【０１１５】
通常搬送波又は特別搬送波上の同時アップリンク送信が端末装置５０１のアップリンク送信能力を超えるために引き起こされる衝突が回避できるように、アップリンクサブフレームのアップリンク送信は、幾つかの通常搬送波又は特別搬送波上で取り消される。
【０１１６】
以下の条件のうちの１つが満たされるとき、端末装置５０１は、搬送波セットから１又は複数の搬送波を選択し、該搬送波上でのアップリンクサブフレームの送信を取り消して良い。
【０１１７】
条件１
【０１１８】
搬送波セットの中の全ての搬送波上でアップリンクサブフレームを送信するための端末装置５０１の電力和が、端末装置５０１の最大送信電力より大きい。
【０１１９】
条件１が満たされるとき、端末装置５０１は、以下の場合が存在するように、搬送波セットの中の１又は複数の搬送波上のアップリンクサブフレームの送信を取り消して良い。
【０１２０】
搬送波セットの中の選択された１又は複数の搬送波以外の搬送波上でアップリンクサブフレームを送信するための端末装置５０１の電力和が、端末装置５０１の最大送信電力より大きくない。
【０１２１】
条件２
【０１２２】
搬送波セットに含まれる搬送波の数が、端末装置５０１により同時に送信可能なアップリンク搬送波の数より大きい。
【０１２３】
条件２が満たされるとき、端末装置５０１は、以下の場合が存在するように、搬送波セットの中の１又は複数の搬送波上のアップリンクサブフレームの送信を取り消す。
【０１２４】
搬送波セットに含まれる搬送波の数から選択された１又は複数の搬送波を減算することにより得られる搬送波の数が、端末装置５０１により同時に送信可能なアップリンク搬送波の数より大きくない。
【０１２５】
相応して、ネットワーク装置５０２は、端末装置５０１が搬送波セットの中の１又は複数の搬送波上でのアップリンクサブフレームの送信を取り消すことを決定するために、端末装置５０１と同じ決定条件、例えば条件１又は条件２を使用して良い。この場合、ネットワーク装置５０２は、１又は複数の搬送波上のアップリンクサブフレームの受信を取り消す。
【０１２６】
端末装置５０１及びネットワーク装置５０２は、端末装置５０１が拒否する特別搬送波を決定するために、同じルールを使用して良い。ネットワーク装置５０２は、アップリンク送信のために端末装置５０１により使用される搬送波を知っているので、同じルールに基づき、ネットワーク装置５０２は、端末装置５０１が拒否する搬送波を知ることができる。ルールは、以下のルールのうちの任意の１つであって良い。
１．低い搬送波優先度を有する搬送波を優先的に拒否する、
２．小さい搬送波番号を有する搬送波を優先的に拒否する、
３．大きい搬送波シーケンス番号を有する搬送波を優先的に拒否する、又は、
４．高周波数の搬送波を優先的に拒否する。
【０１２７】
上述のように、特別搬送波は、端末装置がアップリンクでアップリンクデータ又はアップリンク制御情報のいずれも送信しない搬送波である。この場合、端末装置５０１は、特別搬送波でアップリンク信号のみを送信して良い。アップリンク信号は、アップリンク参照信号又はプリアンブル（preamble）であって良い。任意的に、アップリンク参照信号はＳＲＳであって良い。
【０１２８】
任意的ソリューション２
【０１２９】
任意的ソリューション２では、端末装置５０１は、アップリンクサブフレームの１又は複数の連続するＯＦＤＭシンボルの送信を取り消すことを決定し、拒否されるＯＦＤＭシンボルは搬送波セットの中の１又は複数の通常搬送波上に配置される。
【０１３０】
以下は２つの場合を別個に記載する。
【０１３１】
ケース１
【０１３２】
図６に示すように、端末装置５０１のアップリンク送信能力が最大２個のアップリンク搬送波を同時に送信することである場合、搬送波４及び搬送波５上のＳＲＳ送信と、搬送波１及び搬送波２上のアップリンク通常送信との間で衝突が生じ得る。
【０１３３】
この場合、ＳＲＳが搬送波４及び搬送波５上で送信される時間期間内で、送信が搬送波４及び搬送波５上でのみ実行され、端末装置５０１のアップリンク送信能力が超過されないことを保証するために、図７に示すように、搬送波１及び搬送波２のような通常搬送波上での幾つかのＯＦＤＭシンボルのアップリンク送信は、取り消されて良い。
【０１３４】
したがって、ケース１では、端末装置５０１は、アップリンクサブフレームのＫ個の連続するＯＦＤＭシンボルの送信を取り消す。Ｋ個のＯＦＤＭシンボルは、搬送波セットの中の１又は複数の通常搬送波上に配置される。搬送波セットは、アップリンクサブフレームを送信するために端末装置５０１により使用されるキャリアアグリゲーションの中の全ての搬送波を含む。Ｋは、正整数であり、アップリンクサブフレームに含まれるＯＦＤＭシンボルの数より大きくない。端末装置５０１は、搬送波セットの中の１又は複数の特別搬送波上のＫ個のシンボルの中でアップリンク信号を送信する。
【０１３５】
図７では、端末装置５０１は、全ての通常搬送波上のアップリンクサブフレームの中のＫ個のＯＦＤＭシンボルの送信を取り消す。任意で、ＳＲＳが搬送波４上でのみ送信され、ＳＲＳが搬送波５上で送信されない場合、アップリンクサブフレームの送信は、幾つかの通常搬送波上でのみ取り消されて良い。例えば、アップリンクサブフレームの中のＫ個のＯＦＤＭシンボルの送信が搬送波１又は搬送波２上で取り消され、端末装置５０１のアップリンク送信能力は超過されない。
【０１３６】
通常搬送波及び特別搬送波上の同時アップリンク送信が端末装置５０１のアップリンク送信能力を超過するために引き起こされる衝突が回避できるように、幾つかのＯＦＤＭシンボルの送信が通常搬送波上で取り消される。
【０１３７】
任意で、Ｋ個のシンボルの長さは、少なくとも第１期間及び第２期間の和である。例えば、Ｋ個のシンボルの長さは、第１期間及び第２期間の和に等しい。別の例では、Ｋ個のシンボルの長さは、第１期間及び第２期間の和より大きい。
【０１３８】
第１期間は、アップリンク信号を送信するために必要な期間であり、
第２期間は、端末装置５０１が搬送波間で切り換えられる期間である。
【０１３９】
端末装置５０１が互いに影響しない無線周波数リンクのような異なるハードウェアを用いることにより通常搬送波及び特別搬送波をサポートする場合、端末装置５０１が搬送波間で切り換えられる期間は０であって良い。ハードウェアであって、該ハードウェアにより端末装置５０１が通常搬送波及び特別搬送波をサポートする、ハードウェアが互いに影響する場合、端末装置５０１が搬送波間で切り換えられる期間は通常０より大きい。
【０１４０】
任意で、可能な場合は次の通りである。アップリンクサブフレームの送信が取り消される１又は複数の通常搬送波がタイミングアドバンスグループ（Time  Advance  Group、ＴＡＧ）に属し、及びアップリンク信号が送信される１又は複数の特別搬送波が別のＴＡＧに属する場合、Ｋ個のシンボルの長さは、２つのＴＡＧの間のＴＡ差に従い決定されて良い。２つのＴＡＧの間のＴＡ差は、通常、１シンボルより大きくないので、Ｋ個のシンボルの長さが設定されると、第１期間及び第２期間が考慮され、１又は２個のＯＦＤＭシンボルの送信が更に取り消されると考えられる。
【０１４１】
任意で、アップリンク信号が、アップリンクサブフレームの中の最後の幾つかのＯＦＤＭシンボル内に位置する場合、Ｋ個のシンボルはアップリンクサブフレームの中の最後のＫ個のＯＦＤＭシンボルであって良い。
【０１４２】
任意で、アップリンク信号が、アップリンクサブフレームの中の最初の幾つかのＯＦＤＭシンボル内に位置する場合、又はサブフレーム全体の中に位置する場合、Ｋ個のシンボルはアップリンクサブフレームの前のサブフレームの最後のＫ個のＯＦＤＭシンボルであって良い。
【０１４３】
任意で、以下の条件の１つが満たされるとき、端末装置５０１は、アップリンクサブフレームの中のＫ個の連続するＯＦＤＭシンボルの送信を取り消すことを決定して良い。
【０１４４】
条件１
【０１４５】
搬送波セットの中の全ての搬送波上でアップリンクサブフレームを送信するための端末装置５０１の電力和が、端末装置５０１の最大送信電力より大きい。
【０１４６】
条件１が満たされるとき、端末装置５０１は、以下の場合が存在するように、アップリンクサブフレームの中のＫ個の連続するＯＦＤＭシンボルの送信を取り消して良い。
【０１４７】
搬送波セットの中のＫ個のＯＦＤＭシンボルが配置される１又は複数の通常搬送波以外の搬送波上でアップリンクサブフレームを送信するための端末装置５０１の電力和が、端末装置５０１の最大送信電力より大きくない。
【０１４８】
条件２
【０１４９】
搬送波セットに含まれる搬送波の数が、端末装置５０１により同時に送信可能なアップリンク搬送波の数より大きい。
【０１５０】
条件２が満たされるとき、端末装置５０１は、以下の場合が存在するように、アップリンクサブフレームの中のＫ個の連続するＯＦＤＭシンボルの送信を取り消して良い。
【０１５１】
搬送波セットに含まれる搬送波の数からＫ個のＯＦＤＭシンボルの位置する１又は複数の通常搬送波を減算することにより得られる搬送波の数が、端末装置５０１により同時に送信可能なアップリンク搬送波の数より大きくない。
【０１５２】
相応して、ネットワーク装置５０２は、端末装置５０１がアップリンクサブフレームの中のＫ個の連続するＯＦＤＭシンボルの送信を取り消すことを決定するために、端末装置５０１と同じ決定条件、例えば条件１又は条件２を使用して良い。この場合、ネットワーク装置５０２は、アップリンクサブフレームの中のＫ個の連続するＯＦＤＭシンボルの受信を取り消す。
【０１５３】
端末装置５０１及びネットワーク装置５０２は、端末装置５０１が拒否する特別搬送波を決定するために、同じルールを使用して良い。ネットワーク装置５０２は、アップリンク送信のために端末装置５０１により使用される搬送波を知っているので、同じルールに基づき、ネットワーク装置５０２は、端末装置５０１が拒否する搬送波を知ることができる。ルールは、以下のルールのうちの任意の１つであって良い。
１．低い搬送波優先度を有する搬送波を優先的に拒否する、
２．小さい搬送波番号を有する搬送波を優先的に拒否する、
３．大きい搬送波シーケンス番号を有する搬送波を優先的に拒否する、又は、
４．高周波数の搬送波を優先的に拒否する。
【０１５４】
Ｋの値を定めるためのルールは、ネットワーク装置５０２と端末装置５０１との間で予め合意されて良い。
【０１５５】
例えば、アップリンク信号を送信するために必要な期間が１シンボルであり、端末装置５０１が搬送波間で切り換えられる期間が１シンボルより短い場合、ネットワーク装置５０２及び端末装置５０１は、予め以下の場合について合意して良い。端末装置５０１が互いに影響しない無線周波数リンクのような異なるハードウェアを用いることにより通常搬送波及び特別搬送波をサポートする場合、Ｋの値は１である（端末装置５０１が搬送波間で切り換えられる期間が０なので）、或いは、ハードウェアであって、該ハードウェアにより端末装置５０１が通常搬送波及び特別搬送波をサポートするハードウェアが互いに影響する場合、Ｋの値は２である。
【０１５６】
ケース２
【０１５７】
図８に示すように、端末装置５０１は、特別搬送波から通常搬送波へ切り換えられる、又は通常搬送波から特別搬送波へ切り換えられる。この場合、アップリンク信号の送信を保証するために、Ｍ個のＯＦＤＭシンボルが、通常搬送波上で無効にされる必要がある。
【０１５８】
ケース２では、端末装置５０１は、搬送波セットの中の１又は複数の特別搬送波上のアップリンクサブフレームの中でアップリンク信号を送信する。搬送波セットは、アップリンクサブフレームを送信するために端末装置５０１により使用されるキャリアアグリゲーションの中の全ての搬送波を含む。
【０１５９】
端末装置５０１は、アップリンクサブフレームの隣接サブフレームのＭ個の連続するＯＦＤＭシンボルの送信を取り消すことを決定し、隣接サブフレームもアップリンクサブフレームである。
【０１６０】
Ｍ個のＯＦＤＭシンボルは、搬送波セットの中の１又は複数の通常搬送波上に配置され、Ｍは正整数であり隣接サブフレームに含まれるＯＦＤＭシンボルの数より大きくない。
【０１６１】
任意で、Ｍ個のＯＦＤＭシンボルの長さは、少なくとも、端末装置５０１が搬送波間で切り換えられる期間である。
【０１６２】
端末装置５０１が互いに影響しない無線周波数リンクのような異なるハードウェアを用いることにより通常搬送波及び特別搬送波をサポートする場合、端末装置５０１が搬送波間で切り換えられる期間は０であって良い。ハードウェアであって、該ハードウェアにより端末装置５０１が通常搬送波及び特別搬送波をサポートする、ハードウェアが互いに影響する場合、端末装置５０１が搬送波間で切り換えられる期間は通常０より大きい。
【０１６３】
任意で、可能な場合は次の通りである。アップリンクサブフレームの送信が取り消される１又は複数の通常搬送波がＴＡＧに属し、及びアップリンク信号が送信される１又は複数の特別搬送波が別のＴＡＧに属する場合、Ｋ個のシンボルの長さは、２つのＴＡＧの間のＴＡ差に従い決定されて良い。
【０１６４】
任意で、隣接サブフレームがアップリンクサブフレームの次のサブフレームである場合、Ｍ個のシンボルは、次のサブフレームの中の最初のＭ個のＯＦＤＭシンボルであって良い。又は、
隣接サブフレームがアップリンクサブフレームの前のサブフレームである場合、Ｍ個のシンボルは、前のサブフレームの中の最後のＭ個のＯＦＤＭシンボルであって良い。
【０１６５】
端末装置５０１及びネットワーク装置５０２は、端末装置５０１が拒否する特別搬送波を決定するために、同じルールを使用して良い。ネットワーク装置５０２は、アップリンク送信のために端末装置５０１により使用される搬送波を知っているので、同じルールに基づき、ネットワーク装置５０２は、端末装置５０１が拒否する搬送波を知ることができる。ルールは、以下のルールのうちの任意の１つであって良い。
低い搬送波優先度を有する搬送波を優先的に拒否する、
小さい搬送波番号を有する搬送波を優先的に拒否する、
大きい搬送波シーケンス番号を有する搬送波を優先的に拒否する、又は、
高周波数の搬送波を優先的に拒否する。
【０１６６】
Ｍの値を定めるためのルールは、ネットワーク装置５０２と端末装置５０１との間で予め合意されて良い。
【０１６７】
例えば、端末装置５０１が搬送波間で切り換えられる期間が１シンボルである場合、ネットワーク装置５０２及び端末装置５０１は、予め以下の場合について合意して良い。
【０１６８】
端末装置５０１が互いに影響しない無線周波数リンクのような異なるハードウェアを用いることにより通常搬送波及び特別搬送波をサポートする場合、Ｍの値は０である（端末装置５０１が搬送波間で切り換えられる期間が０なので）、或いは、ハードウェアであって、該ハードウェアにより端末装置５０１が通常搬送波及び特別搬送波をサポートするハードウェアが互いに影響する場合、Ｍの値は１である。
【０１６９】
ケース１及びケース２では、端末装置５０１により送信されるアップリンク信号は、アップリンク参照信号又はプリアンブル（preamble）である。任意的に、アップリンク参照信号はＳＲＳである。
【０１７０】
図９は、本発明の一実施形態による第１端末装置の概略構造図である。図９に示すように、端末装置は以下を含む。
処理モジュール９０１であって、第１アップリンクサブフレームのために第１搬送波セットから１又は複数の搬送波を選択するよう構成され、第１搬送波セットは、第１アップリンクサブフレームを送信するために端末装置により使用されるキャリアアグリゲーションの中の全ての搬送波を含む、処理モジュール９０１と、
送信モジュール９０２であって、処理モジュール９０１により選択された１又は複数の搬送波上での第１アップリンクサブフレームの送信を取り消すよう構成される送信モジュール９０２。
【０１７１】
処理モジュール９０１により選択された１又は複数の搬送波は、通常搬送波又は特別搬送波である。
【０１７２】
特別搬送波は、端末装置がアップリンクでアップリンクデータ又はアップリンク制御情報のいずれも送信しない搬送波であり、通常搬送波は、アップリンクデータ及び／又はアップリンク制御情報を送信するために端末装置により使用される搬送波である。
【０１７３】
任意で、処理モジュール９０１は、具体的に、
第１搬送波セットの中の全ての搬送波上で第１アップリンクサブフレームを送信するための端末装置の電力和が、端末装置の最大送信電力より大きいとき、第１搬送波セットから１又は複数の搬送波を選択するよう構成され、
第１搬送波セットの中の選択された１又は複数の搬送波以外の搬送波上で第１アップリンクサブフレームを送信するための端末装置の電力和は、端末装置の最大送信電力より大きくない。
【０１７４】
任意で、処理モジュール９０１は、具体的に、
端末装置の第１搬送波セットに含まれる搬送波の数が端末装置により同時に送信可能なアップリンク搬送波の数より大きいとき、第１搬送波セットから１又は複数の搬送波を選択するよう構成され、
第１搬送波セットに含まれる搬送波の数から１又は複数の搬送波を減算することにより得られる搬送波の数は、端末装置により同時に送信可能なアップリンク搬送波の数より大きくない。
【０１７５】
任意で、特別搬送波は、端末装置がアップリンクでアップリンク信号のみを送信する搬送波であり、アップリンク信号はアップリンク参照信号及び／又はプリアンブル（preamble）を含む。
【０１７６】
任意で、アップリンク参照信号はサウンディング参照信号ＳＲＳである。
【０１７７】
端末装置が位置する無線通信システムの通信規格については、図５に示す無線通信システムを参照する。端末装置の様々な種類については、端末装置５０１の種類を参照する。
【０１７８】
処理モジュール９０１の別の任意的実装については、端末装置５０１が図５に示す無線通信システムの任意的ソリューション１において制御処理を実行するソリューションを参照する。送信モジュール９０２の別の任意的実装については、端末装置５０１が図５に示す無線通信システムの任意的ソリューション１において送信を実行するソリューションを参照する。
【０１７９】
アップリンクサブフレームの送信が取り消される搬送波を選択するために処理モジュール９０１により使用される条件については、図５に示す無線通信システムの任意的ソリューション１における条件１及び条件２を参照する。処理モジュール９０１が送信の取り消される搬送波を選択するルールについては、図５に示す無線通信システムの任意的ソリューション１における選択ルールを参照する。
【０１８０】
処理モジュール９０１は、１又は複数のプロセッサにより実装されて良く、送信モジュール９０２は、１又は複数の送信機により実装されて良い。
【０１８１】
図１０は、本発明の一実施形態による第１ネットワーク装置の概略構造図である。図１０に示すように、端末装置は以下を含む。
処理モジュール１００１であって、端末装置が第１搬送波セットの中の１又は複数の搬送波上での第１アップリンクサブフレームの送信を取り消すことを決定するよう構成され、第１搬送波セットは、第１アップリンクサブフレームを送信するために端末装置により使用されるキャリアアグリゲーションの中の全ての搬送波を含む、処理モジュール１００１と、
１又は複数の搬送波上の第１アップリンクサブフレームの受信を取り消すよう構成される受信モジュール１００２。
【０１８２】
１又は複数の搬送波は、通常搬送波又は特別搬送波である。
【０１８３】
特別搬送波は、端末装置がアップリンクでアップリンクデータ又はアップリンク制御情報のいずれも送信しない搬送波であり、通常搬送波は、アップリンクデータ及び／又はアップリンク制御情報を送信するために端末装置により使用される搬送波である。
【０１８４】
任意で、処理モジュール１００１は、具体的に、
第１搬送波セットの中の全ての搬送波上で第１アップリンクサブフレームを送信するための端末装置の電力和が端末装置の最大送信電力より大きいと決定した場合、端末装置が第１搬送波セットの中の１又は複数の搬送波上の第１アップリンクサブフレームの送信を取り消すことを決定するよう構成される。
【０１８５】
任意で、処理モジュール１００１は、具体的に、
第１搬送波セットに含まれる搬送波の数が端末装置により同時に送信可能なアップリンク搬送波の数より大きいとき、端末装置が第１搬送波セットの中の１又は複数の搬送波上での第１アップリンクサブフレームの送信を取り消すことを決定するよう構成される。
【０１８６】
任意で、特別搬送波は、端末装置がアップリンクでアップリンク信号のみを送信する搬送波であり、アップリンク信号はアップリンク参照信号及び／又はプリアンブル（preamble）を含む。
【０１８７】
任意で、アップリンク参照信号はサウンディング参照信号ＳＲＳである。
【０１８８】
ネットワーク装置が位置する無線通信システムの通信規格については、図５に示す無線通信システムを参照する。ネットワーク装置の様々な種類については、ネットワーク装置５０２の種類を参照する。
【０１８９】
処理モジュール１００１の別の任意的実装については、ネットワーク装置５０２が図５に示す無線通信システムの任意的ソリューション１において制御処理を実行するソリューションを参照する。受信モジュール１００２の別の任意的実装については、ネットワーク装置５０２が図５に示す無線通信システムの任意的ソリューション１において受信を実行するソリューションを参照する。
【０１９０】
端末装置が搬送波上のアップリンクサブフレームの送信を取り消すことを決定するために処理モジュール１００１により使用される条件については、図５に示す無線通信システムの任意的ソリューション１における条件１及び条件２を参照する。端末装置５０１が送信を取り消す搬送波を、ネットワーク装置５０２が決定するルールについては、図５に示す無線通信システムの任意的ソリューション１におけるルールを参照する。
【０１９１】
処理モジュール１００１は、１又は複数のプロセッサにより実装されて良く、受信モジュール１００２は、１又は複数の受信機により実装されて良い。
【０１９２】
図１１は、本発明の一実施形態による第２端末装置の概略構造図である。図１１に示すように、端末装置は以下を含む。
処理モジュール１１０１であって、端末装置が第２アップリンクサブフレームの中のＫ個の連続する直交周波数分割多重ＯＦＤＭシンボルの送信を取り消すことを決定するよう構成される処理モジュール１１０１であって、
Ｋ個のＯＦＤＭシンボルは第２搬送波セットの中の１又は複数の通常搬送波上に配置され、第２搬送波セットは、第２アップリンクサブフレームを送信するために端末装置により使用されるキャリアアグリゲーションの中の全ての搬送波を含み、Ｋは、正整数であり、第２アップリンクサブフレームに含まれるＯＦＤＭシンボルの数より大きくない、処理モジュール１１０１と、
第２搬送波セットの中の１又は複数の特別搬送波上のＫ個のシンボルの中で第１アップリンク信号を送信するよう構成される送信モジュール１１０２。
【０１９３】
特別搬送波は、端末装置がアップリンクでアップリンクデータ又はアップリンク制御情報のいずれも送信しない搬送波であり、通常搬送波は、アップリンクデータ及び／又はアップリンク制御情報を送信するために端末装置により使用される搬送波である。
【０１９４】
任意で、Ｋ個のシンボルの長さは、少なくとも第１期間及び第２期間の和である。
【０１９５】
第１期間は、第１アップリンク信号を送信するために必要な期間である。
【０１９６】
第２期間は、端末装置が搬送波間で切り換えられる期間である。
【０１９７】
任意で、第２搬送波セットの中の１又は複数の通常搬送波は、第１タイミングアドバンスグループＴＡＧ１に属し、第２搬送波セットの中の１又は複数の特別搬送波は、第２タイミングアドバンスグループＴＡＧ２に属する。
【０１９８】
Ｋ個のシンボルの長さは、少なくとも、第１期間と、第２期間と、第３期間との和であり、第３期間は、ＴＡＧ１とＴＡＧ２との間のＴＡ差に従い予め合意された長さである。
【０１９９】
任意で、Ｋ個のシンボルは、第２アップリンクサブフレームの中の最後のＫ個のＯＦＤＭシンボルである。
【０２００】
任意で、送信モジュール１１０２は、第３搬送波セットの中の１又は複数の特別搬送波上の第３アップリンクサブフレームの中で第２アップリンク信号を送信するよう構成される。第３搬送波セットは、第３アップリンクサブフレームを送信するために端末装置により使用されるキャリアアグリゲーションの中の全ての搬送波を含む。
【０２０１】
処理モジュール１１０１は、端末装置が第３アップリンクサブフレームの隣接サブフレームのＭ個の連続するＯＦＤＭシンボルの送信を取り消すことを決定するよう更に構成される。隣接サブフレームもアップリンクサブフレームである。
【０２０２】
Ｍ個のＯＦＤＭシンボルは、第３搬送波セットの中の１又は複数の通常搬送波上に配置され、Ｍは正整数であり隣接サブフレームに含まれるＯＦＤＭシンボルの数より大きくない。
【０２０３】
任意で、Ｍ個のＯＦＤＭシンボルの長さは、少なくとも第４期間である。
【０２０４】
第４期間は、端末装置が搬送波間で切り換えられる期間である。
【０２０５】
任意で、第３搬送波セットの中の１又は複数の通常搬送波は、第３タイミングアドバンスグループＴＡＧ３に属し、第３搬送波セットの中の１又は複数の特別搬送波は、第４タイミングアドバンスグループＴＡＧ４に属する。
【０２０６】
Ｋ個のシンボルの長さは、少なくとも、第４期間及び第５期間の和であり、第５期間は、ＴＡＧ３とＴＡＧ４との間のＴＡ差に従い予め合意された長さである。
【０２０７】
任意で、隣接サブフレームが第３アップリンクサブフレームの次のサブフレームである場合、Ｍ個のシンボルは、次のサブフレームの中の最初のＭ個のＯＦＤＭシンボルである、及び/又は、
隣接サブフレームが第３アップリンクサブフレームの前のサブフレームである場合、Ｍ個のシンボルは、前のサブフレームの中の最後のＭ個のＯＦＤＭシンボルである。
【０２０８】
任意で、第２アップリンク信号は、アップリンク参照信号及び／又はプリアンブル（preamble）を含む。
【０２０９】
任意で、処理モジュール１１０１は、具体的に、
第２搬送波セットの中の全ての搬送波上で第２アップリンクサブフレームを送信するための端末装置の電力和が、端末装置の最大送信電力より大きいとき、端末装置がＫ個のＯＦＤＭシンボルの送信を取り消すことを決定するよう構成され、
第２搬送波セットの中のＫ個のＯＦＤＭシンボルが配置される１又は複数の通常搬送波以外の搬送波上で第２アップリンクサブフレームを送信するための端末装置の電力和は、端末装置の最大送信電力より大きくない。
【０２１０】
任意で、処理モジュール１１０１は、具体的に、
端末装置の第２搬送波セットに含まれる搬送波の数が端末装置により同時に送信可能なアップリンク搬送波の数より大きいとき、端末装置がＫ個のＯＦＤＭシンボルの送信を取り消すことを決定するよう構成され、
第２搬送波セットに含まれる搬送波の数からＫ個のＯＦＤＭシンボルの位置する１又は複数の通常搬送波を減算することにより得られる搬送波の数は、端末装置により同時に送信可能なアップリンク搬送波の数より大きくない。
【０２１１】
任意で、第１アップリンク信号は、アップリンク参照信号及び／又はプリアンブル（preamble）を含む。
【０２１２】
任意で、アップリンク参照信号はサウンディング参照信号ＳＲＳである。
【０２１３】
端末装置が位置する無線通信システムの通信規格については、図５に示す無線通信システムを参照する。端末装置の様々な種類については、端末装置５０１の種類を参照する。
【０２１４】
処理モジュール１１０１の別の任意的実装については、端末装置５０１が図５に示す無線通信システムの任意的ソリューション２において制御処理を実行するソリューションを参照する。送信モジュール１１０２の別の任意的実装については、端末装置５０１が図５に示す無線通信システムの任意的ソリューション２において送信を実行するソリューションを参照する。
【０２１５】
処理モジュール１１０１が処理を実行するときに存在する２つのケースについては、図５に示す無線通信システムの任意的ソリューション２における２つのケースを参照する。ケース１において、幾つかのＯＦＤＭシンボルの送信が取り消される搬送波を選択するために処理モジュール１１０１により使用される条件については、図５に示す無線通信システムの任意的ソリューション２におけるケース１の条件１及び条件２を参照する。ケース２において、ケース２は図５に示す無線通信システムの任意的ソリューション２のケース２と同様であり、処理モジュール１１０１は、特別搬送波と通常搬送波との間のスイッチオーバの間に、通常搬送波上の幾つかのＯＦＤＭシンボルの送信を取り消して良い。処理モジュール１１０１が送信の取り消される搬送波を選択するルールについては、図５に示す無線通信システムの任意的ソリューション２における選択ルールを参照する。
【０２１６】
処理モジュール１１０１は、１又は複数のプロセッサにより実装されて良く、送信モジュール１１０２は、１又は複数の送信機により実装されて良い。
【０２１７】
図１２は、本発明の一実施形態による第２ネットワーク装置の概略構造図である。図１２に示すように、端末装置は以下を含む。
処理モジュール１２０１であって、端末装置が第２アップリンクサブフレームの中のＫ個の連続する直交周波数分割多重ＯＦＤＭシンボルの送信を取り消すことを決定し、端末装置が第２搬送波セットの中の１又は複数の特別搬送波上のＫ個のシンボルの中で第１アップリンク信号を送信することを決定するよう構成され、
Ｋ個のＯＦＤＭシンボルは第２搬送波セットの中の１又は複数の通常搬送波上に配置され、第２搬送波セットは、第２アップリンクサブフレームを送信するために端末装置により使用されるキャリアアグリゲーションの中の全ての搬送波を含み、Ｋは、正整数であり、第２アップリンクサブフレームに含まれるＯＦＤＭシンボルの数より大きくない、処理モジュール１２０１と、
受信モジュール１２０２であって、Ｋ個のＯＦＤＭシンボルの受信を取り消し、第２搬送波セットの中の１又は複数の特別搬送波上のＫ個のシンボルの中で第２アップリンク信号を受信するよう構成される受信モジュール１２０２。
【０２１８】
特別搬送波は、端末装置がアップリンクでアップリンクデータ又はアップリンク制御情報のいずれも送信しない搬送波であり、通常搬送波は、アップリンクデータ及び／又はアップリンク制御情報を送信するために端末装置により使用される搬送波である。
【０２１９】
任意で、Ｋ個のシンボルの長さは、少なくとも第１期間及び第２期間の和である。
【０２２０】
第１期間は、第１アップリンク信号を送信するために必要な期間である。
【０２２１】
第２期間は、端末装置が搬送波間で切り換えられる期間である。
【０２２２】
任意で、第２搬送波セットの中の１又は複数の通常搬送波は、第１タイミングアドバンスグループＴＡＧ１に属し、第２搬送波セットの中の１又は複数の特別搬送波は、第２タイミングアドバンスグループＴＡＧ２に属する。
【０２２３】
Ｋ個のシンボルの長さは、少なくとも、第１期間と、第２期間と、第３期間との和であり、第３期間は、ＴＡＧ１とＴＡＧ２との間のＴＡ差に従い予め合意された長さである。
【０２２４】
任意で、Ｋ個のシンボルは、第２アップリンクサブフレームの中の最後のＫ個のＯＦＤＭシンボルである。
【０２２５】
任意で、処理モジュール１２０１は、端末装置が第３搬送波セットの中の１又は複数の特別搬送波上の第３アップリンクサブフレームの中で第２アップリンク信号を送信することを決定し、端末装置が第３アップリンクサブフレームの隣接サブフレームのＭ個の連続するＯＦＤＭシンボルの送信を取り消すことを決定するよう更に構成される。隣接サブフレームもアップリンクサブフレームである。第３搬送波セットは、第３アップリンクサブフレームを送信するために端末装置により使用されるキャリアアグリゲーションの中の全ての搬送波を含む。
【０２２６】
受信モジュール１２０２は、第３搬送波セットの中の１又は複数の特別搬送波上で第２アップリンク信号を受信し、第３アップリンクサブフレームの隣接サブフレームの中のＭ個の連続するＯＦＤＭシンボルの受信を取り消すよう更に構成される。
【０２２７】
Ｍ個のＯＦＤＭシンボルは、第３搬送波セットの中の１又は複数の通常搬送波上に配置され、Ｍは正整数であり隣接サブフレームに含まれるＯＦＤＭシンボルの数より大きくない。
【０２２８】
任意で、Ｍ個のＯＦＤＭシンボルの長さは、少なくとも第４期間である。
【０２２９】
第４期間は、端末装置が搬送波間で切り換えられる期間である。
【０２３０】
任意で、第３搬送波セットの中の１又は複数の通常搬送波は、第３タイミングアドバンスグループＴＡＧ３に属し、第３搬送波セットの中の１又は複数の特別搬送波は、第４タイミングアドバンスグループＴＡＧ４に属する。
【０２３１】
Ｋ個のシンボルの長さは、少なくとも、第４期間及び第５期間の和であり、第５期間は、ＴＡＧ３とＴＡＧ４との間のＴＡ差に従い予め合意された長さである。
【０２３２】
任意で、隣接サブフレームが第３アップリンクサブフレームの次のサブフレームである場合、Ｍ個のシンボルは、次のサブフレームの中の最初のＭ個のＯＦＤＭシンボルである、及び/又は、
隣接サブフレームが第３アップリンクサブフレームの前のサブフレームである場合、Ｍ個のシンボルは、前のサブフレームの中の最後のＭ個のＯＦＤＭシンボルである。
【０２３３】
任意で、第２アップリンク信号は、アップリンク参照信号及び／又はプリアンブル（preamble）を含む。
【０２３４】
任意で、処理モジュール１２０１は、具体的に、
第２搬送波セットの中の全ての搬送波上で第２アップリンクサブフレームを送信するための端末装置の電力和が、端末装置の最大送信電力より大きいことを決定した場合、端末装置がＫ個のＯＦＤＭシンボルの送信を取り消すことを決定するよう構成される。
【０２３５】
任意で、処理モジュール１２０１は、具体的に、
第２搬送波セットに含まれる搬送波の数が端末装置により同時に送信可能なアップリンク搬送波の数より大きいとき、端末装置がＫ個のＯＦＤＭシンボルの送信を取り消すことを決定するよう構成される。
【０２３６】
任意で、第１アップリンク信号は、アップリンク参照信号及び／又はプリアンブル（preamble）を含む。
【０２３７】
任意で、アップリンク参照信号はサウンディング参照信号ＳＲＳである。
【０２３８】
ネットワーク装置が位置する無線通信システムの通信規格については、図５に示す無線通信システムを参照する。ネットワーク装置の様々な種類については、ネットワーク装置５０２の種類を参照する。
【０２３９】
処理モジュール１２０１の別の任意的実装については、ネットワーク装置５０２が図５に示す無線通信システムの任意的ソリューション２において制御処理を実行するソリューションを参照する。受信モジュール１２０２の別の任意的実装については、ネットワーク装置５０２が図５に示す無線通信システムの任意的ソリューション２において受信を実行するソリューションを参照する。
【０２４０】
処理モジュール１２０１が処理を実行するときに存在する２つのケースについては、図５に示す無線通信システムの任意的ソリューション２における２つのケースを参照する。ケース１において、端末装置が搬送波上の幾つかのＯＦＤＭシンボルの送信を取り消すことを決定するために処理モジュール１２０１により使用される条件については、図５に示す無線通信システムの任意的ソリューション２におけるケース１の条件１及び条件２を参照する。ケース２において、ケース２は図５に示す無線通信システムの任意的ソリューション２のケース２と同様であり、処理モジュール１２０１は、端末装置が特別搬送波と通常搬送波との間のスイッチオーバの間に、通常搬送波上の幾つかのＯＦＤＭシンボルの送信を取り消すことを決定して良い。端末装置が送信を取り消す搬送波を、処理モジュール１２０１が決定するルールについては、図５に示す無線通信システムの任意的ソリューション２におけるルールを参照する。
【０２４１】
処理モジュール１２０１は、１又は複数のプロセッサにより実装されて良く、受信モジュール１２０２は、１又は複数の受信機により実装されて良い。
【０２４２】
図１３は、本発明の一実施形態によるアップリンク信号を送信する第１方法のフローチャートである。図１３に示すように、方法は以下のステップを含む。
【０２４３】
Ｓ１０３。端末装置は、第１アップリンクサブフレームのために第１搬送波セットから１又は複数の搬送波を選択し、第１搬送波セットは、第１アップリンクサブフレームを送信するために端末装置により使用されるキャリアアグリゲーションの中の全ての搬送波を含む。
【０２４４】
Ｓ１３０２。端末装置は、選択された１又は複数の搬送波上の第１アップリンクサブフレームの送信を取り消す。
【０２４５】
選択された１又は複数の搬送波は、通常搬送波又は特別搬送波である。
【０２４６】
特別搬送波は、端末装置がアップリンクでアップリンクデータ又はアップリンク制御情報のいずれも送信しない搬送波であり、通常搬送波は、アップリンクデータ及び／又はアップリンク制御情報を送信するために端末装置により使用される搬送波である。
【０２４７】
任意で、端末装置が第１搬送波セットから１又は複数の搬送波を選択することは、
第１搬送波セットの中の全ての搬送波上で第１アップリンクサブフレームを送信するための端末装置の電力和が、端末装置の最大送信電力より大きいとき、第１搬送波セットから１又は複数の搬送波を選択することを含み、
第１搬送波セットの中の選択された１又は複数の搬送波以外の搬送波上で第１アップリンクサブフレームを送信するための端末装置の電力和は、端末装置の最大送信電力より大きくない。
【０２４８】
任意で、端末装置が第１搬送波セットから１又は複数の搬送波を選択することは、
端末装置の第１搬送波セットに含まれる搬送波の数が端末装置により同時に送信可能なアップリンク搬送波の数より大きいとき、第１搬送波セットから１又は複数の搬送波を選択することを含み、
第１搬送波セットに含まれる搬送波の数から１又は複数の搬送波を減算することにより得られる搬送波の数は、端末装置により同時に送信可能なアップリンク搬送波の数より大きくない。
【０２４９】
任意で、特別搬送波は、端末装置がアップリンクでアップリンク信号のみを送信する搬送波であり、アップリンク信号はアップリンク参照信号及び／又はプリアンブル（preamble）を含む。
【０２５０】
任意で、アップリンク参照信号はサウンディング参照信号ＳＲＳである。
【０２５１】
方法において、端末装置及びネットワーク装置が位置する無線通信システムの通信規格については、図５に示す無線通信システムを参照する。端末装置の様々な種類については、端末装置５０１の種類を参照する。ネットワーク装置の様々な種類については、ネットワーク装置５０２の種類を参照する。
【０２５２】
方法の別の任意的ソリューションについては、図５に示す無線通信システムの任意的ソリューション１の端末装置５０１の処理を参照する。例えば、アップリンクサブフレームの送信が取り消される搬送波を選択するために端末装置により使用される条件については、図５に示す無線通信システムの任意的ソリューション１における条件１及び条件２における端末装置５０１の処理を参照する。端末装置が送信の取り消される搬送波を選択するルールについては、図５に示す無線通信システムの任意的ソリューション１における選択ルールを参照する。
【０２５３】
図１４は、本発明の一実施形態によるアップリンク信号を受信する第１方法のフローチャートである。図１４に示すように、方法は以下のステップを含む。
【０２５４】
Ｓ１４０１。ネットワーク装置は、端末装置が第１搬送波セットの中の１又は複数の搬送波上での第１アップリンクサブフレームの送信を取り消すことを決定し、第１搬送波セットは、第１アップリンクサブフレームを送信するために端末装置により使用されるキャリアアグリゲーションの中の全ての搬送波を含む。
【０２５５】
Ｓ１４０２。ネットワーク装置は、１又は複数の搬送波上の第１アップリンクサブフレームの受信を取り消す。
【０２５６】
１又は複数の搬送波は、通常搬送波又は特別搬送波である。
【０２５７】
特別搬送波は、端末装置がアップリンクでアップリンクデータ又はアップリンク制御情報のいずれも送信しない搬送波であり、通常搬送波は、アップリンクデータ及び／又はアップリンク制御情報を送信するために端末装置により使用される搬送波である。
【０２５８】
任意で、ネットワーク装置が、端末装置が第１搬送波セットの中の１又は複数の搬送波上での第１アップリンクサブフレームの送信を取り消すことを決定することは、
第１搬送波セットの中の全ての搬送波上で第１アップリンクサブフレームを送信するための端末装置の電力和が端末装置の最大送信電力より大きいと決定した場合、ネットワーク装置により、端末装置が第１搬送波セットの中の１又は複数の搬送波上の第１アップリンクサブフレームの送信を取り消すことを決定することを含む。
【０２５９】
任意で、ネットワーク装置が、端末装置が第１搬送波セットの中の１又は複数の搬送波上での第１アップリンクサブフレームの送信を取り消すことを決定することは、
第１搬送波セットに含まれる搬送波の数が端末装置により同時に送信可能なアップリンク搬送波の数より大きいとき、ネットワーク装置により、端末装置が第１搬送波セットの中の１又は複数の搬送波上での第１アップリンクサブフレームの送信を取り消すことを含む。
【０２６０】
任意で、特別搬送波は、端末装置がアップリンクでアップリンク信号のみを送信する搬送波であり、アップリンク信号はアップリンク参照信号及び／又はプリアンブル（preamble）を含む。
【０２６１】
任意で、アップリンク参照信号はサウンディング参照信号ＳＲＳである。
【０２６２】
方法において、ネットワーク装置及び端末装置が位置する無線通信システムの通信規格については、図５に示す無線通信システムを参照する。ネットワーク装置の様々な種類については、ネットワーク装置５０２の種類を参照する。端末装置の様々な種類については、端末装置５０１の種類を参照する。
【０２６３】
方法の別の任意的実装については、図５に示す無線通信システムの任意的ソリューション２のネットワーク装置５０２の処理を参照する。
【０２６４】
端末装置が搬送波上のアップリンクサブフレームの送信が取り消すことを決定するためにネットワーク装置により使用される条件については、図５に示す無線通信システムの任意的ソリューション１における条件１及び条件２を参照する。端末装置５０１が送信を取り消す搬送波を、ネットワーク装置５０２が決定するルールについては、図５に示す無線通信システムの任意的ソリューション１におけるルールを参照する。
【０２６５】
図１５は、本発明の一実施形態によるアップリンク信号を送信する第２方法のフローチャートである。
【０２６６】
Ｓ１５０１。端末装置は、第２アップリンクサブフレームの中のＫ個の連続する直交周波数分割多重ＯＦＤＭシンボルの送信を取り消すことを決定する。
【０２６７】
Ｋ個のＯＦＤＭシンボルは第２搬送波セットの中の１又は複数の通常搬送波上に配置され、第２搬送波セットは、第２アップリンクサブフレームを送信するために端末装置により使用されるキャリアアグリゲーションの中の全ての搬送波を含み、Ｋは、正整数であり、第２アップリンクサブフレームに含まれるＯＦＤＭシンボルの数より大きくない。
【０２６８】
Ｓ１５０２。端末装置は、第２搬送波セットの中の１又は複数の特別搬送波上のＫ個のシンボルの中で第１アップリンク信号を送信する。
【０２６９】
特別搬送波は、端末装置がアップリンクでアップリンクデータ又はアップリンク制御情報のいずれも送信しない搬送波であり、通常搬送波は、アップリンクデータ及び／又はアップリンク制御情報を送信するために端末装置により使用される搬送波である。
【０２７０】
任意で、Ｋ個のシンボルの長さは、少なくとも第１期間及び第２期間の和である。
【０２７１】
第１期間は、第１アップリンク信号を送信するために必要な期間である。
【０２７２】
第２期間は、端末装置が搬送波間で切り換えられる期間である。
【０２７３】
任意で、第２搬送波セットの中の１又は複数の通常搬送波は、第１タイミングアドバンスグループＴＡＧ１に属し、第２搬送波セットの中の１又は複数の特別搬送波は、第２タイミングアドバンスグループＴＡＧ２に属する。
【０２７４】
Ｋ個のシンボルの長さは、少なくとも、第１期間と、第２期間と、第３期間との和であり、第３期間は、ＴＡＧ１とＴＡＧ２との間のＴＡ差に従い予め合意された長さである。
【０２７５】
任意で、Ｋ個のシンボルは、第２アップリンクサブフレームの中の最後のＫ個のＯＦＤＭシンボルである。
【０２７６】
任意で、端末装置は、第３搬送波セットの中の１又は複数の特別搬送波上の第３アップリンクサブフレームの中で第２アップリンク信号を送信する。第３搬送波セットは、第３アップリンクサブフレームを送信するために端末装置により使用されるキャリアアグリゲーションの中の全ての搬送波を含む。
【０２７７】
端末装置は、第３アップリンクサブフレームの隣接サブフレームのＭ個の連続するＯＦＤＭシンボルの送信を取り消すことを決定する。隣接サブフレームもアップリンクサブフレームである。
【０２７８】
Ｍ個のＯＦＤＭシンボルは、第３搬送波セットの中の１又は複数の通常搬送波上に配置され、Ｍは正整数であり隣接サブフレームに含まれるＯＦＤＭシンボルの数より大きくない。
【０２７９】
任意で、Ｍ個のＯＦＤＭシンボルの長さは、少なくとも第４期間である。
【０２８０】
第４期間は、端末装置が搬送波間で切り換えられる期間である。
【０２８１】
任意で、第３搬送波セットの中の１又は複数の通常搬送波は、第３タイミングアドバンスグループＴＡＧ３に属し、第３搬送波セットの中の１又は複数の特別搬送波は、第４タイミングアドバンスグループＴＡＧ４に属する。
【０２８２】
Ｋ個のシンボルの長さは、少なくとも、第４期間及び第５期間の和であり、第５期間は、ＴＡＧ３とＴＡＧ４との間のＴＡ差に従い予め合意された長さである。
【０２８３】
任意で、隣接サブフレームが第３アップリンクサブフレームの次のサブフレームである場合、Ｍ個のシンボルは、次のサブフレームの中の最初のＭ個のＯＦＤＭシンボルである、及び/又は、
隣接サブフレームが第３アップリンクサブフレームの前のサブフレームである場合、Ｍ個のシンボルは、前のサブフレームの中の最後のＭ個のＯＦＤＭシンボルである。
【０２８４】
任意で、第２アップリンク信号は、アップリンク参照信号及び／又はプリアンブル（preamble）を含む。
【０２８５】
任意で、端末装置が、第２アップリンクサブフレームの中のＫ個の連続するＯＦＤＭシンボルの送信を取り消すことを決定することは、
第２搬送波セットの中の全ての搬送波上で第２アップリンクサブフレームを送信するための端末装置の電力和が、端末装置の最大送信電力より大きいとき、Ｋ個のＯＦＤＭシンボルの送信を取り消すことを決定することを含み、
第２搬送波セットの中のＫ個のＯＦＤＭシンボルが配置される１又は複数の通常搬送波以外の搬送波上で第２アップリンクサブフレームを送信するための端末装置の電力和は、端末装置の最大送信電力より大きくない。
【０２８６】
任意で、端末装置が、第２アップリンクサブフレームの中のＫ個の連続するＯＦＤＭシンボルの送信を取り消すことを決定することは、
端末装置の第２搬送波セットに含まれる搬送波の数が端末装置により同時に送信可能なアップリンク搬送波の数より大きいとき、Ｋ個のＯＦＤＭシンボルの送信を取り消すことを決定することを含み、
第２搬送波セットに含まれる搬送波の数からＫ個のＯＦＤＭシンボルの位置する１又は複数の通常搬送波を減算することにより得られる搬送波の数は、端末装置により同時に送信可能なアップリンク搬送波の数より大きくない。
【０２８７】
任意で、第１アップリンク信号は、アップリンク参照信号及び／又はプリアンブル（preamble）を含む。
【０２８８】
任意で、アップリンク参照信号はサウンディング参照信号ＳＲＳである。
【０２８９】
方法において、端末装置及びネットワーク装置が位置する無線通信システムの通信規格については、図５に示す無線通信システムを参照する。端末装置の様々な種類については、端末装置５０１の種類を参照する。ネットワーク装置の様々な種類については、ネットワーク装置５０２の種類を参照する。
【０２９０】
方法の別の任意的実装については、図５に示す無線通信システムの任意的ソリューション２の端末装置５０１側の処理を参照する。
【０２９１】
端末装置が処理を実行するときに存在する２つのケースについては、図５に示す無線通信システムの任意的ソリューション２における２つのケースを参照する。ケース１において、幾つかのＯＦＤＭシンボルの送信が取り消される搬送波を選択するために端末装置により使用される条件については、図５に示す無線通信システムの任意的ソリューション２におけるケース１の条件１及び条件２を参照する。ケース２において、ケース２は図５に示す無線通信システムの任意的ソリューション２のケース２と同様であり、端末装置は、特別搬送波と通常搬送波との間のスイッチオーバの間に、通常搬送波上の幾つかのＯＦＤＭシンボルの送信を取り消して良い。端末装置が送信の取り消される搬送波を選択するルールについては、図５に示す無線通信システムの任意的ソリューション２における選択ルールを参照する。
【０２９２】
図１６は、本発明の一実施形態によるアップリンク信号を受信する第２方法のフローチャートである。図１６に示すように、方法は以下のステップを含む。
【０２９３】
Ｓ１６０１。ネットワーク装置は、端末装置が第２アップリンクサブフレームの中のＫ個の連続する直交周波数分割多重ＯＦＤＭシンボルの送信を取り消すことを決定し、端末装置が第２搬送波セットの中の１又は複数の特別搬送波上のＫ個のシンボルの中で第１アップリンク信号を送信することを決定する。
【０２９４】
Ｋ個のＯＦＤＭシンボルは第２搬送波セットの中の１又は複数の通常搬送波上に配置され、第２搬送波セットは、第２アップリンクサブフレームを送信するために端末装置により使用されるキャリアアグリゲーションの中の全ての搬送波を含み、Ｋは、正整数であり、第２アップリンクサブフレームに含まれるＯＦＤＭシンボルの数より大きくない。
【０２９５】
Ｓ１６０２。ネットワーク装置は、Ｋ個のＯＦＤＭシンボルの受信を取り消し、第２搬送波セットの中の１又は複数の特別搬送波上のＫ個のシンボルの中で第２アップリンク信号を受信する。
【０２９６】
特別搬送波は、端末装置がアップリンクでアップリンクデータ又はアップリンク制御情報のいずれも送信しない搬送波であり、通常搬送波は、アップリンクデータ及び／又はアップリンク制御情報を送信するために端末装置により使用される搬送波である。
【０２９７】
任意で、Ｋ個のシンボルの長さは、少なくとも第１期間及び第２期間の和である。
【０２９８】
第１期間は、第１アップリンク信号を送信するために必要な期間である。
【０２９９】
第２期間は、端末装置が搬送波間で切り換えられる期間である。
【０３００】
任意で、第２搬送波セットの中の１又は複数の通常搬送波は、第１タイミングアドバンスグループＴＡＧ１に属し、第２搬送波セットの中の１又は複数の特別搬送波は、第２タイミングアドバンスグループＴＡＧ２に属する。
【０３０１】
Ｋ個のシンボルの長さは、少なくとも、第１期間と、第２期間と、第３期間との和であり、第３期間は、ＴＡＧ１とＴＡＧ２との間のＴＡ差に従い予め合意された長さである。
【０３０２】
任意で、Ｋ個のシンボルは、第２アップリンクサブフレームの中の最後のＫ個のＯＦＤＭシンボルである。
【０３０３】
任意的に、方法は、以下を更に含む。
ネットワーク装置により、端末装置が第３搬送波セットの中の１又は複数の特別搬送波上の第３アップリンクサブフレームの中で第２アップリンク信号を送信することを決定し、端末装置が第３アップリンクサブフレームの隣接サブフレームのＭ個の連続するＯＦＤＭシンボルの送信を取り消すことを決定するステップであって、隣接サブフレームもアップリンクサブフレームであり、第３搬送波セットは、第３アップリンクサブフレームを送信するために端末装置により使用されるキャリアアグリゲーションの中の全ての搬送波を含む、ステップと、
ネットワーク装置により、第３搬送波セットの中の１又は複数の特別搬送波上で第２アップリンク信号を受信し、第３アップリンクサブフレームの隣接サブフレームの中のＭ個の連続するＯＦＤＭシンボルの受信を取り消すステップ。
【０３０４】
Ｍ個のＯＦＤＭシンボルは、第３搬送波セットの中の１又は複数の通常搬送波上に配置され、Ｍは正整数であり隣接サブフレームに含まれるＯＦＤＭシンボルの数より大きくない。
【０３０５】
任意で、Ｍ個のＯＦＤＭシンボルの長さは、少なくとも第４期間である。
【０３０６】
第４期間は、端末装置が搬送波間で切り換えられる期間である。
【０３０７】
任意で、第３搬送波セットの中の１又は複数の通常搬送波は、第３タイミングアドバンスグループＴＡＧ３に属し、第３搬送波セットの中の１又は複数の特別搬送波は、第４タイミングアドバンスグループＴＡＧ４に属する。
【０３０８】
Ｋ個のシンボルの長さは、少なくとも、第４期間及び第５期間の和であり、第５期間は、ＴＡＧ３とＴＡＧ４との間のＴＡ差に従い予め合意された長さである。
【０３０９】
任意で、隣接サブフレームが第３アップリンクサブフレームの次のサブフレームである場合、Ｍ個のシンボルは、次のサブフレームの中の最初のＭ個のＯＦＤＭシンボルである、及び/又は、
隣接サブフレームが第３アップリンクサブフレームの前のサブフレームである場合、Ｍ個のシンボルは、前のサブフレームの中の最後のＭ個のＯＦＤＭシンボルである。
【０３１０】
任意で、第２アップリンク信号は、アップリンク参照信号及び／又はプリアンブル（preamble）を含む。
【０３１１】
任意で、ネットワーク装置が、端末装置が第２アップリンクサブフレームの中のＫ個の連続するＯＦＤＭシンボルの送信を取り消すことを決定することは、
第２搬送波セットの中の全ての搬送波上で第２アップリンクサブフレームを送信するための端末装置の電力和が、端末装置の最大送信電力より大きいことを決定した場合、ネットワーク装置により、端末装置がＫ個のＯＦＤＭシンボルの送信を取り消すことを決定することを含む。
【０３１２】
任意で、ネットワーク装置が、端末装置が第２アップリンクサブフレームの中のＫ個の連続するＯＦＤＭシンボルの送信を取り消すことを決定することは、
第２搬送波セットに含まれる搬送波の数が端末装置により同時に送信可能なアップリンク搬送波の数より大きいとき、ネットワーク装置により、端末装置がＫ個のＯＦＤＭシンボルの送信を取り消すことを決定することを含む。
【０３１３】
任意で、第１アップリンク信号は、アップリンク参照信号及び／又はプリアンブル（preamble）を含む。
【０３１４】
任意で、アップリンク参照信号はサウンディング参照信号ＳＲＳである。
【０３１５】
方法において、端末装置及びネットワーク装置が位置する無線通信システムの通信規格については、図５に示す無線通信システムを参照する。ネットワーク装置の様々な種類については、ネットワーク装置５０２の種類を参照する。端末装置の様々な種類については、端末装置５０１の種類を参照する。
【０３１６】
方法の別の任意的実装については、図５に示す無線通信システムの任意的ソリューション２のネットワーク装置５０２の処理を参照する。
【０３１７】
方法において、ネットワーク装置が処理を実行するときに存在する２つのケースについては、図５に示す無線通信システムの任意的ソリューション２における２つのケースを参照する。ケース１において、端末装置が搬送波上の幾つかのＯＦＤＭシンボルの送信を取り消すことを決定するためにネットワーク装置により使用される条件については、図５に示す無線通信システムの任意的ソリューション２におけるケース１の条件１及び条件２を参照する。ケース２において、ケース２は図５に示す無線通信システムの任意的ソリューション２のケース２と同様であり、ネットワーク装置は、端末装置が特別搬送波と通常搬送波との間のスイッチオーバの間に、通常搬送波上の幾つかのＯＦＤＭシンボルの送信を取り消すことを決定して良い。端末装置が送信を取り消す搬送波を、ネットワーク装置が決定するルールについては、図５に示す無線通信システムの任意的ソリューション２におけるルールを参照する。
【０３１８】
本発明の実施形態では、（ＳＲＳのような）アップリンク参照信号が幾つかの搬送波上で送信されないときに該幾つかの搬送波上のダウンリンクチャネル特性のような情報が取得できないという問題を解決するために、幾つかの搬送波上のアップリンクサブフレームが拒否され、又は幾つかの搬送波上のアップリンクサブフレームの幾つかのＯＤＦＭシンボルが拒否される。さらに、衝突が回避される。
【０３１９】
当業者は、本発明の実施形態が方法、システム、又はコンピュータプログラム製品として提供されて良いことを理解すべきである。したがって、本発明は、ハードウェアのみの実施形態、ソフトウェアのみの実施形態、又はソフトウェアとハードウェアとの組合せを有する実施形態の形式を使用して良い。さらに、本発明は、コンピュータ使用可能プログラムコードを含む１又は複数のコンピュータ使用可能記憶媒体（ディスクメモリ、ＣＤ−ＲＯＭ、光メモリ、等を含むが、これらに限定されない）に実装されるコンピュータプログラム製品の形式を使用して良い。
【０３２０】
本発明は、本発明の実施形態による方法、装置（システム）及びコンピュータプログラム製品のフローチャート及び／又はブロック図を参照して記載される。理解されるべきことに、コンピュータプログラム命令は、フローチャート及び／又はブロック図の中の各々の処理及び／又は各々のブロック、及び／又はフローチャート及び／又はブロック図の中の処理及び／又はブロックの組合せを実施するために使用されて良い。これらのコンピュータプログラム命令は、機械を生成するために、汎用コンピュータ、専用コンピュータ、内蔵プロセッサ、又は別のプログラマブルデータ処理装置のプロセッサに対して提供されて良く、したがって、コンピュータ又は別のプログラマブルデータ処理装置のプロセッサにより実行される命令は、フローチャートの中の１又は複数の処理及び／又はブロック図の中の１又は複数のブロックの中の特定の機能を実装する装置を生成できるようにする。
【０３２１】
これらのコンピュータプログラム命令は、コンピュータ又は別のプログラマブルデータ処理装置に特定の方法で動作するよう指示できるコンピュータ可読メモリに格納されて良く、したがって、コンピュータ可読メモリに格納された命令は、命令装置を含む製品を生成できる。命令装置は、フローチャートの中の１又は複数の処理の中の及び／又はブロック図の中の１又は複数のブロックの中の特定の機能を実装する。
【０３２２】
これらのコンピュータプログラム命令は、コンピュータ又は別のプログラマブルデータ処理装置にロードされて良く、したがって、一連の動作及びステップが該コンピュータ又は別のプログラマブル装置で実行され、それによりコンピュータにより実施される処理を生成する。したがって、コンピュータ又は別のプログラマブル装置で実行される命令は、フローチャートの中の１又は複数の処理の中の及び／又はブロック図の中の１又は複数のブロックの中の特定の機能を実施するステップを提供する。
【０３２３】
本発明の幾つかの好適な実施形態が記載されたが、当業者は、基本的な発明の概念を学習すると、これらの実施形態に変化及び変更を行うことができる。したがって、以下の請求項は、好適な実施形態及び本発明の範囲に包含される全ての変化及び変更をカバーするものと考えられるべきである。
【０３２４】
明らかに、当業者は、本発明の実施形態の精神及び範囲から逸脱することなく本発明の実施形態に種々の変更及び変形をなし得る。本発明は、これらの変更及び変形が以下の請求項により定められる保護範囲及びそれらの等価技術に包含される場合、これらの変更及び変形をカバーすることを意図する。
【図１】
0006623289.tif 000002
【図２】
0006623289.tif 000003
【図３】
0006623289.tif 000004
【図４】
0006623289.tif 000005
【図５】
0006623289.tif 000006
【図６】
0006623289.tif 000007
【図７】
0006623289.tif 000008
【図８】
0006623289.tif 000009
【図９】
0006623289.tif 000010
【図１０】
0006623289.tif 000011
【図１１】
0006623289.tif 000012
【図１２】
0006623289.tif 000013
【図１３】
0006623289.tif 000014
【図１４】
0006623289.tif 000015
【図１５】
0006623289.tif 000016
【図１６】
0006623289.tif 000017